(57)【要約】  端末装置は、トランスポートブロックのコードブロックを復号し、第１の送信モードが設定されている場合、コードブロックに対するレートマッチングはソフトチャネルビットの第１の総数に基づいて処理され、第２の送信モードが設定されており、第１の情報が設定されている場合、コードブロックに対するレートマッチングはソフトチャネルビットの第１の総数に基づいて処理され、第２の送信モードが設定されており、第１の情報が設定されていない場合、コードブロックに対するレートマッチングはソフトチャネルビットの第２の総数に基づいて処理される。ここで、第１の情報はＰＤＳＣＨ送信に関連するレイヤーの最大数を示す。
2017006873.tif 000002
【特許請求の範囲】
【請求項１】
ＰＤＳＣＨ（Physical Downlink Shared CHannel）送信に対するＲＩ（Rank Indicator）を送信する送信部と、
前記ＲＩのためのビット幅の決定のために想定する第１の最大数であって、レイヤーの前記第１の最大数の決定のために用いる第１の情報を受信し、
前記ＰＤＳＣＨでトランスポートブロックを受信する受信部と、
前記トランスポートブロックのコードブロックを復号する復号化部と、を備え、
前記送信部は、第２の情報、および、第３の情報を含む能力情報を送信し、
前記第２の情報は、下りリンクにおいて前記端末装置によってサポートされる前記レイヤーの第２の最大数、および、前記下りリンクにおけるＨＡＲＱ（Hybrid Automatic Repeat reQuest）プロセッシングのために利用可能なソフトチャネルビットの第１の総数に対応する第１のＵＥカテゴリーを示し、
前記第３の情報は、前記下りリンクにおいて前記端末装置によってサポートされる前記レイヤーの第３の最大数、および、前記下りリンクにおけるＨＡＲＱ（Hybrid Automatic Repeat reQuest）プロセッシングのために利用可能なソフトチャネルビットの第２の総数に対応する第２のＵＥカテゴリーを示し、
第１の送信モードが設定されている場合、前記コードブロックに対するレートマッチングは、前記第１の総数に基づいて処理され、
前記第１の送信モードとは異なる第２の送信モードが設定されており、前記第１の情報が設定されている場合、前記コードブロックに対するレートマッチングは、前記第１の総数に基づいて処理され、
前記第２の送信モードが設定されており、前記第１の情報が設定されていない場合、前記コードブロックに対するレートマッチングは、前記第２の総数に基づいて処理される
端末装置。
【請求項２】
前記送信部は、前記ＲＩを、ＰＵＳＣＨ（Physical Uplink Shared CHannel）で送信する
請求項１の端末装置。
【請求項３】
ＰＤＳＣＨ（Physical Downlink Shared CHannel）送信に対するＲＩ（Rank Indicator）を、端末装置から受信する受信部と、
前記ＲＩのためのビット幅の決定のために前記端末装置によって想定される、レイヤーの第１の最大数の決定のために前記端末装置によって用いられる第１の情報を、前記端末装置に送信し、
前記ＰＤＳＣＨでトランスポートブロックを、前記端末装置に送信する送信部と、
前記トランスポートブロックのコードブロックを符号化する符号化部と、を備え、
前記受信部は、第２の情報、および、第３の情報を含む能力情報を受信し、
前記第２の情報は、下りリンクにおいて前記端末装置によってサポートされる前記レイヤーの第２の最大数、および、前記下りリンクにおけるＨＡＲＱ（Hybrid Automatic Repeat reQuest）プロセッシングのために利用可能なソフトチャネルビットの第１の総数に対応する第１のＵＥカテゴリーを示し、
前記第３の情報は、前記下りリンクにおいて前記端末装置によってサポートされる前記レイヤーの第３の最大数、および、前記下りリンクにおけるＨＡＲＱ（Hybrid Automatic Repeat reQuest）プロセッシングのために利用可能なソフトチャネルビットの第２の総数に対応する第２のＵＥカテゴリーを示し、
前記端末装置に対して第１の送信モードが設定されている場合、前記コードブロックに対するレートマッチングは、前記第１の総数に基づいて処理され、
前記端末装置に対して、前記第１の送信モードとは異なる第２の送信モードが設定されており、前記第１の情報が設定されている場合、前記コードブロックに対するレートマッチングは、前記第１の総数に基づいて処理され、
前記端末装置に対して、前記第２の送信モードが設定されており、前記第１の情報が設定されていない場合、前記コードブロックに対するレートマッチングは、前記第２の総数に基づいて処理される
基地局装置。
【請求項４】
前記受信部は、前記ＲＩを、ＰＵＳＣＨ（Physical Uplink Shared CHannel）で受信する
請求項３の基地局装置。
【請求項５】
端末装置に用いられる通信方法であって、
ＰＤＳＣＨ（Physical Downlink Shared CHannel）送信に対するＲＩ（Rank Indicator）を送信し、
前記ＲＩのためのビット幅の決定のために想定する第１の最大数であって、レイヤーの前記第１の最大数の決定のために用いる第１の情報を受信し、
前記ＰＤＳＣＨでトランスポートブロックを受信し、
前記トランスポートブロックのコードブロックを復号し、
第２の情報、および、第３の情報を含む能力情報を送信し、
前記第２の情報は、下りリンクにおいて前記端末装置によってサポートされる前記レイヤーの第２の最大数、および、前記下りリンクにおけるＨＡＲＱ（Hybrid Automatic Repeat reQuest）プロセッシングのために利用可能なソフトチャネルビットの第１の総数に対応する第１のＵＥカテゴリーを示し、
前記第３の情報は、前記下りリンクにおいて前記端末装置によってサポートされる前記レイヤーの第３の最大数、および、前記下りリンクにおけるＨＡＲＱ（Hybrid Automatic Repeat reQuest）プロセッシングのために利用可能なソフトチャネルビットの第２の総数に対応する第２のＵＥカテゴリーを示し、
第１の送信モードが設定されている場合、前記コードブロックに対するレートマッチングは、前記第１の総数に基づいて処理され、
前記第１の送信モードとは異なる第２の送信モードが設定されており、前記第１の情報が設定されている場合、前記コードブロックに対するレートマッチングは、前記第１の総数に基づいて処理され、
前記第２の送信モードが設定されており、前記第１の情報が設定されていない場合、前記コードブロックに対するレートマッチングは、前記第２の総数に基づいて処理される
通信方法。
【請求項６】
基地局装置に用いられる通信方法であって、
ＰＤＳＣＨ（Physical Downlink Shared CHannel）送信に対するＲＩ（Rank Indicator）を、端末装置から受信し、
前記ＲＩのためのビット幅の決定のために前記端末装置によって想定される、レイヤーの第１の最大数の決定のために前記端末装置によって用いられる第１の情報を、前記端末装置に送信し、
前記ＰＤＳＣＨでトランスポートブロックを、前記端末装置に送信し、
前記トランスポートブロックのコードブロックを符号化し、
第２の情報、および、第３の情報を含む能力情報を受信し、
前記第２の情報は、下りリンクにおいて前記端末装置によってサポートされる前記レイヤーの第２の最大数、および、前記下りリンクにおけるＨＡＲＱ（Hybrid Automatic Repeat reQuest）プロセッシングのために利用可能なソフトチャネルビットの第１の総数に対応する第１のＵＥカテゴリーを示し、
前記第３の情報は、前記下りリンクにおいて前記端末装置によってサポートされる前記レイヤーの第３の最大数、および、前記下りリンクにおけるＨＡＲＱ（Hybrid Automatic Repeat reQuest）プロセッシングのために利用可能なソフトチャネルビットの第２の総数に対応する第２のＵＥカテゴリーを示し、
前記端末装置に対して第１の送信モードが設定されている場合、前記コードブロックに対するレートマッチングは、前記第１の総数に基づいて処理され、
前記端末装置に対して、前記第１の送信モードとは異なる第２の送信モードが設定されており、前記第１の情報が設定されている場合、前記コードブロックに対するレートマッチングは、前記第１の総数に基づいて処理され、
前記端末装置に対して、前記第２の送信モードが設定されており、前記第１の情報が設定されていない場合、前記コードブロックに対するレートマッチングは、前記第２の総数に基づいて処理される
通信方法。
【請求項７】
端末装置に実装される集積回路であって、
ＰＤＳＣＨ（Physical Downlink Shared CHannel）送信に対するＲＩ（Rank Indicator）を送信する送信回路と、
前記ＲＩのためのビット幅の決定のために想定する第１の最大数であって、レイヤーの前記第１の最大数の決定のために用いる第１の情報を受信し、
前記ＰＤＳＣＨでトランスポートブロックを受信する受信回路と、
前記トランスポートブロックのコードブロックを復号する復号化回路と、を備え、
前記送信回路は、第２の情報、および、第３の情報を含む能力情報を送信し、
前記第２の情報は、下りリンクにおいて前記端末装置によってサポートされる前記レイヤーの第２の最大数、および、前記下りリンクにおけるＨＡＲＱ（Hybrid Automatic Repeat reQuest）プロセッシングのために利用可能なソフトチャネルビットの第１の総数に対応する第１のＵＥカテゴリーを示し、
前記第３の情報は、前記下りリンクにおいて前記端末装置によってサポートされる前記レイヤーの第３の最大数、および、前記下りリンクにおけるＨＡＲＱ（Hybrid Automatic Repeat reQuest）プロセッシングのために利用可能なソフトチャネルビットの第２の総数に対応する第２のＵＥカテゴリーを示し、
第１の送信モードが設定されている場合、前記コードブロックに対するレートマッチングは、前記第１の総数に基づいて処理され、
前記第１の送信モードとは異なる第２の送信モードが設定されており、前記第１の情報が設定されている場合、前記コードブロックに対するレートマッチングは、前記第１の総数に基づいて処理され、
前記第２の送信モードが設定されており、前記第１の情報が設定されていない場合、前記コードブロックに対するレートマッチングは、前記第２の総数に基づいて処理される
集積回路。
【請求項８】
基地局装置に実装される集積回路であって、
ＰＤＳＣＨ（Physical Downlink Shared CHannel）送信に対するＲＩ（Rank Indicator）を、端末装置から受信する受信回路と、
前記ＲＩのためのビット幅の決定のために前記端末装置によって想定される、レイヤーの第１の最大数の決定のために前記端末装置によって用いられる第１の情報を、前記端末装置に送信し、
前記ＰＤＳＣＨでトランスポートブロックを、前記端末装置に送信する送信回路と、
前記トランスポートブロックのコードブロックを符号化する符号化回路と、を備え、
前記受信回路は、第２の情報、および、第３の情報を含む能力情報を受信し、
前記第２の情報は、下りリンクにおいて前記端末装置によってサポートされる前記レイヤーの第２の最大数、および、前記下りリンクにおけるＨＡＲＱ（Hybrid Automatic Repeat reQuest）プロセッシングのために利用可能なソフトチャネルビットの第１の総数に対応する第１のＵＥカテゴリーを示し、
前記第３の情報は、前記下りリンクにおいて前記端末装置によってサポートされる前記レイヤーの第３の最大数、および、前記下りリンクにおけるＨＡＲＱ（Hybrid Automatic Repeat reQuest）プロセッシングのために利用可能なソフトチャネルビットの第２の総数に対応する第２のＵＥカテゴリーを示し、
前記端末装置に対して第１の送信モードが設定されている場合、前記コードブロックに対するレートマッチングは、前記第１の総数に基づいて処理され、
前記端末装置に対して、前記第１の送信モードとは異なる第２の送信モードが設定されており、前記第１の情報が設定されている場合、前記コードブロックに対するレートマッチングは、前記第１の総数に基づいて処理され、
前記端末装置に対して、前記第２の送信モードが設定されており、前記第１の情報が設定されていない場合、前記コードブロックに対するレートマッチングは、前記第２の総数に基づいて処理される
集積回路。
【発明の詳細な説明】
【技術分野】
【０００１】
本発明は、端末装置、基地局装置、通信方法、および、集積回路に関する。
本願は、２０１５年７月３日に、日本に出願された特願２０１５−１３３９９９号に基づき優先権を主張し、その内容をここに援用する。
【背景技術】
【０００２】
セルラー移動通信の無線アクセス方式および無線ネットワーク（以下、「Long Term Evolution （LTE）」、または、「Evolved Universal Terrestrial Radio Access: EUTRA」と称する。）が、第三世代パートナーシッププロジェクト（3rd Generation Partnership Project: 3GPP）において検討されている。ＬＴＥでは、基地局装置をｅＮｏｄｅＢ（evolved NodeB）、端末装置をＵＥ（User Equipment）とも称する。ＬＴＥは、基地局装置がカバーするエリアをセル状に複数配置するセルラー通信システムである。単一の基地局装置は複数のセルを管理してもよい。【０００３】
ＬＴＥには、端末装置が集約される複数のキャリア（セル）を介して基地局装置と通信するキャリアアグリゲーション、および、複数のレイヤーが空間多重されるＭＩＭＯ（Multiple Input Multiple Output）が導入されている。ＭＩＭＯはＬＴＥリリース８から導入されており、キャリアアグリゲーションはＬＴＥリリース１０から導入されている（非特許文献２、３、４）。【０００４】
ＬＴＥにおいて、ＭＩＭＯおよびキャリアアグリゲーションが導入された後にも、ＭＩＭＯおよびキャリアアグリゲーションの機能は拡張され続けている。端末装置は、該端末装置がサポートするＭＩＭＯおよびキャリアグリゲーションの技術を示す能力情報を、基地局装置に送信する（非特許文献５）。
【先行技術文献】
【非特許文献】
【０００５】
【非特許文献１】"3GPP TS 36.101 V12.7.0 (2015-03)",2nd April, 2015.
【非特許文献２】"3GPP TS 36.211 V12.5.0 (2015-03)",26th March, 2015.
【非特許文献３】"3GPP TS 36.212 V12.4.0 (2015-03)",26th March, 2015.
【非特許文献４】"3GPP TS 36.213 V12.5.0 (2015-03)",26th March, 2015.
【非特許文献５】"3GPP TS 36.306 V12.4.0 (2015-03)",27th March, 2015.
【発明の概要】
【発明が解決しようとする課題】
【０００６】
しかしながら、上述のような無線システムにおいて、基地局装置の実際の動作と端末装置が想定する基地局装置の動作が異なり、基地局装置と端末装置が正しく通信できないことがある。例えば、端末装置が基地局装置にフィードバックするＲＩ（Rank Indicator）のビット幅、下りリンクトランスポートブロックのコードブロックのレートマッチング、ソフトチャネルビットのストアなどに対して、基地局装置の実際の動作と端末装置が想定する基地局装置の動作、および／または、端末装置の実際の動作と基地局装置が想定する端末装置の動作が異なる可能性がある。【０００７】
本発明は上記の点に鑑みてなされたものであり、その目的は、基地局装置と効率的に通信することができる端末装置、基地局装置、通信方法、および、集積回路を提供することである。
【課題を解決するための手段】
【０００８】
（１）上記の目的を達成するために、本発明の態様は、以下のような手段を講じた。すなわち、本発明の第１の態様は、端末装置であって、ＰＤＳＣＨ（Physical Downlink Shared CHannel）送信に対するＲＩ（Rank Indicator）を送信する送信部と、前記ＲＩのためのビット幅の決定のために想定する第１の最大数であって、レイヤーの前記第１の最大数の決定のために用いる第１の情報を受信し、前記ＰＤＳＣＨでトランスポートブロックを受信する受信部と、前記トランスポートブロックのコードブロックを復号する復号化部と、を備え、前記送信部は、第２の情報、および、第３の情報を含む能力情報を送信し、前記第２の情報は、下りリンクにおいて前記端末装置によってサポートされる前記レイヤーの第２の最大数、および、前記下りリンクにおけるＨＡＲＱ（Hybrid Automatic Repeat reQuest）プロセッシングのために利用可能なソフトチャネルビットの第１の総数に対応する第１のＵＥカテゴリーを示し、前記第３の情報は、前記下りリンクにおいて前記端末装置によってサポートされる前記レイヤーの第３の最大数、および、前記下りリンクにおけるＨＡＲＱ（Hybrid Automatic Repeat reQuest）プロセッシングのために利用可能なソフトチャネルビットの第２の総数に対応する第２のＵＥカテゴリーを示し、第１の送信モードが設定されている場合、前記コードブロックに対するレートマッチングは、前記第１の総数に基づいて処理され、前記第１の送信モードとは異なる第２の送信モードが設定されており、前記第１の情報が設定されている場合、前記コードブロックに対するレートマッチングは、前記第１の総数に基づいて処理され、前記第２の送信モードが設定されており、前記第１の情報が設定されていない場合、前記コードブロックに対するレートマッチングは、前記第２の総数に基づいて処理される。【０００９】
（２）本発明の第２の態様は、基地局装置であって、ＰＤＳＣＨ（Physical Downlink Shared CHannel）送信に対するＲＩ（Rank Indicator）を、端末装置から受信する受信部と、前記ＲＩのためのビット幅の決定のために前記端末装置によって想定される、レイヤーの第１の最大数の決定のために前記端末装置によって用いられる第１の情報を、前記端末装置に送信し、前記ＰＤＳＣＨでトランスポートブロックを、前記端末装置に送信する送信部と、前記トランスポートブロックのコードブロックを符号化する符号化部と、を備え、前記受信部は、第２の情報、および、第３の情報を含む能力情報を受信し、前記第２の情報は、下りリンクにおいて前記端末装置によってサポートされる前記レイヤーの第２の最大数、および、前記下りリンクにおけるＨＡＲＱ（Hybrid Automatic Repeat reQuest）プロセッシングのために利用可能なソフトチャネルビットの第１の総数に対応する第１のＵＥカテゴリーを示し、前記第３の情報は、前記下りリンクにおいて前記端末装置によってサポートされる前記レイヤーの第３の最大数、および、前記下りリンクにおけるＨＡＲＱ（Hybrid Automatic Repeat reQuest）プロセッシングのために利用可能なソフトチャネルビットの第２の総数に対応する第２のＵＥカテゴリーを示し、前記端末装置に対して第１の送信モードが設定されている場合、前記コードブロックに対するレートマッチングは、前記第１の総数に基づいて処理され、前記端末装置に対して、前記第１の送信モードとは異なる第２の送信モードが設定されており、前記第１の情報が設定されている場合、前記コードブロックに対するレートマッチングは、前記第１の総数に基づいて処理され、前記端末装置に対して、前記第２の送信モードが設定されており、前記第１の情報が設定されていない場合、前記コードブロックに対するレートマッチングは、前記第２の総数に基づいて処理される。【００１０】
（３）本発明の第３の態様は、端末装置に用いられる通信方法であって、ＰＤＳＣＨ（Physical Downlink Shared CHannel）送信に対するＲＩ（Rank Indicator）を送信し、前記ＲＩのためのビット幅の決定のために想定する第１の最大数であって、レイヤーの前記第１の最大数の決定のために用いる第１の情報を受信し、前記ＰＤＳＣＨでトランスポートブロックを受信し、前記トランスポートブロックのコードブロックを復号し、第２の情報、および、第３の情報を含む能力情報を送信し、前記第２の情報は、下りリンクにおいて前記端末装置によってサポートされる前記レイヤーの第２の最大数、および、前記下りリンクにおけるＨＡＲＱ（Hybrid Automatic Repeat reQuest）プロセッシングのために利用可能なソフトチャネルビットの第１の総数に対応する第１のＵＥカテゴリーを示し、前記第３の情報は、前記下りリンクにおいて前記端末装置によってサポートされる前記レイヤーの第３の最大数、および、前記下りリンクにおけるＨＡＲＱ（Hybrid Automatic Repeat reQuest）プロセッシングのために利用可能なソフトチャネルビットの第２の総数に対応する第２のＵＥカテゴリーを示し、第１の送信モードが設定されている場合、前記コードブロックに対するレートマッチングは、前記第１の総数に基づいて処理され、前記第１の送信モードとは異なる第２の送信モードが設定されており、前記第１の情報が設定されている場合、前記コードブロックに対するレートマッチングは、前記第１の総数に基づいて処理され、前記第２の送信モードが設定されており、前記第１の情報が設定されていない場合、前記コードブロックに対するレートマッチングは、前記第２の総数に基づいて処理される。【００１１】
（４）本発明の第４の態様は、基地局装置に用いられる通信方法であって、ＰＤＳＣＨ（Physical Downlink Shared CHannel）送信に対するＲＩ（Rank Indicator）を、端末装置から受信し、前記ＲＩのためのビット幅の決定のために前記端末装置によって想定される、レイヤーの第１の最大数の決定のために前記端末装置によって用いられる第１の情報を、前記端末装置に送信し、前記ＰＤＳＣＨでトランスポートブロックを、前記端末装置に送信し、前記トランスポートブロックのコードブロックを符号化し、第２の情報、および、第３の情報を含む能力情報を受信し、前記第２の情報は、下りリンクにおいて前記端末装置によってサポートされる前記レイヤーの第２の最大数、および、前記下りリンクにおけるＨＡＲＱ（Hybrid Automatic Repeat reQuest）プロセッシングのために利用可能なソフトチャネルビットの第１の総数に対応する第１のＵＥカテゴリーを示し、前記第３の情報は、前記下りリンクにおいて前記端末装置によってサポートされる前記レイヤーの第３の最大数、および、前記下りリンクにおけるＨＡＲＱ（Hybrid Automatic Repeat reQuest）プロセッシングのために利用可能なソフトチャネルビットの第２の総数に対応する第２のＵＥカテゴリーを示し、前記端末装置に対して第１の送信モードが設定されている場合、前記コードブロックに対するレートマッチングは、前記第１の総数に基づいて処理され、前記端末装置に対して、前記第１の送信モードとは異なる第２の送信モードが設定されており、前記第１の情報が設定されている場合、前記コードブロックに対するレートマッチングは、前記第１の総数に基づいて処理され、前記端末装置に対して、前記第２の送信モードが設定されており、前記第１の情報が設定されていない場合、前記コードブロックに対するレートマッチングは、前記第２の総数に基づいて処理される。【００１２】
（５）本発明の第５の態様は、端末装置に実装される集積回路であって、ＰＤＳＣＨ（Physical Downlink Shared CHannel）送信に対するＲＩ（Rank Indicator）を送信する送信回路と、前記ＲＩのためのビット幅の決定のために想定する第１の最大数であって、レイヤーの前記第１の最大数の決定のために用いる第１の情報を受信し、前記ＰＤＳＣＨでトランスポートブロックを受信する受信回路と、前記トランスポートブロックのコードブロックを復号する復号化回路と、を備え、前記送信回路は、第２の情報、および、第３の情報を含む能力情報を送信し、前記第２の情報は、下りリンクにおいて前記端末装置によってサポートされる前記レイヤーの第２の最大数、および、前記下りリンクにおけるＨＡＲＱ（Hybrid Automatic Repeat reQuest）プロセッシングのために利用可能なソフトチャネルビットの第１の総数に対応する第１のＵＥカテゴリーを示し、前記第３の情報は、前記下りリンクにおいて前記端末装置によってサポートされる前記レイヤーの第３の最大数、および、前記下りリンクにおけるＨＡＲＱ（Hybrid Automatic Repeat reQuest）プロセッシングのために利用可能なソフトチャネルビットの第２の総数に対応する第２のＵＥカテゴリーを示し、第１の送信モードが設定されている場合、前記コードブロックに対するレートマッチングは、前記第１の総数に基づいて処理され、前記第１の送信モードとは異なる第２の送信モードが設定されており、前記第１の情報が設定されている場合、前記コードブロックに対するレートマッチングは、前記第１の総数に基づいて処理され、前記第２の送信モードが設定されており、前記第１の情報が設定されていない場合、前記コードブロックに対するレートマッチングは、前記第２の総数に基づいて処理される。【００１３】
（６）本発明の第６の態様は、基地局装置に実装される集積回路であって、ＰＤＳＣＨ（Physical Downlink Shared CHannel）送信に対するＲＩ（Rank Indicator）を、端末装置から受信する受信回路と、前記ＲＩのためのビット幅の決定のために前記端末装置によって想定される、レイヤーの第１の最大数の決定のために前記端末装置によって用いられる第１の情報を、前記端末装置に送信し、前記ＰＤＳＣＨでトランスポートブロックを、前記端末装置に送信する送信回路と、前記トランスポートブロックのコードブロックを符号化する符号化回路と、を備え、前記受信回路は、第２の情報、および、第３の情報を含む能力情報を受信し、前記第２の情報は、下りリンクにおいて前記端末装置によってサポートされる前記レイヤーの第２の最大数、および、前記下りリンクにおけるＨＡＲＱ（Hybrid Automatic Repeat reQuest）プロセッシングのために利用可能なソフトチャネルビットの第１の総数に対応する第１のＵＥカテゴリーを示し、前記第３の情報は、前記下りリンクにおいて前記端末装置によってサポートされる前記レイヤーの第３の最大数、および、前記下りリンクにおけるＨＡＲＱ（Hybrid Automatic Repeat reQuest）プロセッシングのために利用可能なソフトチャネルビットの第２の総数に対応する第２のＵＥカテゴリーを示し、前記端末装置に対して第１の送信モードが設定されている場合、前記コードブロックに対するレートマッチングは、前記第１の総数に基づいて処理され、前記端末装置に対して、前記第１の送信モードとは異なる第２の送信モードが設定されており、前記第１の情報が設定されている場合、前記コードブロックに対するレートマッチングは、前記第１の総数に基づいて処理され、前記端末装置に対して、前記第２の送信モードが設定されており、前記第１の情報が設定されていない場合、前記コードブロックに対するレートマッチングは、前記第２の総数に基づいて処理される。
【発明の効果】
【００１４】
この発明の態様によれば、端末装置と基地局装置とが効率的に通信することができる。
【図面の簡単な説明】
【００１５】
【図１】本実施形態の無線通信システムの概念図である。
【図２】本実施形態の無線フレームの概略構成を示す図である。
【図３】本実施形態のスロットの構成を示す図である。
【図４】本実施形態の端末装置１の構成を示す概略ブロック図である。
【図５】本実施形態の基地局装置３の構成を示す概略ブロック図である。
【図６】本実施形態の符号化部３０７１における処理の一例を示す図である。
【図７】本実施形態の多重部３０７５における処理の一例を示す図である。
【図８】本実施形態における送信モード、ＤＣＩフォーマット、および、ＰＤＳＣＨの送信方式の対応の一例を示す図である。
【図９】本実施形態におけるＵＥカテゴリーの一例を示す図である。
【図１０】本実施形態における下りリンクＵＥカテゴリーの一例を示す図である。
【図１１】本実施形態の複数の能力パラメータによって示されるカテゴリーの組み合わせの一例を示す図である。
【図１２】本実施形態のバンド幅クラスの一例を示す図である。
【図１３】本実施形態における能力パラメータsupportedBandCombinationの構成の一例を示す図である。
【図１４】本実施形態における能力パラメータsupportedBandCombinationの構成の一例を示す図である。
【図１５】本実施形態におけるバンド幅クラスとＭＩＭＯ能力の組み合わせの一例を示す図である。
【図１６】本実施形態における端末装置１と基地局装置３の間のシーケンスチャートの一例を示す図である。
【図１７】本実施形態におけるレートマッチングの一例を示す図である。
【図１８】本実施形態のビット選択および除去の一例を示す図である。
【図１９】本実施形態におけるソフトチャネルビットの総数Nsoftの決定に関するフローチャートの一例を示す図である。
【図２０】本実施形態におけるKcの設定方法の一例を示す図である。
【図２１】本実施形態における＜wk, wk+1,…,w (k+nSB-1) mod Ncb＞のレンジの一例を示す図である。
【図２２】本実施形態におけるソフトチャネルビットの総数N’softの決定に関するフローチャートの一例を示す図である。
【発明を実施するための形態】
【００１６】
以下、本発明の実施形態について説明する。
【００１７】
本実施形態では、端末装置は、複数のセルが設定される。端末装置が複数のセルを介して通信する技術をセルアグリゲーション、またはキャリアアグリゲーションと称する。端末装置に対して設定される複数のセルのそれぞれにおいて、本発明が適用されてもよい。また、設定された複数のセルの一部において、本発明が適用されてもよい。端末装置に設定されるセルを、サービングセルとも称する。セルのそれぞれに対して、ＴＤＤ（Time Division Duplex）方式、および、ＦＤＤ（Frequency Division Duplex）方式のうちの何
れか一方が適用される。
【００１８】
設定された複数のサービングセルは、１つのプライマリーセル（ＰＣｅｌｌ）と１つまたは複数のセカンダリーセル（ＳＣｅｌｌ）とを含む。プライマリーセルは、初期コネクション構築（initial connection establishment）プロシージャが行なわれたサービングセル、コネクション再構築（connection re-establishment）プロシージャを開始したサービングセル、または、ハンドオーバプロシージャにおいてプライマリーセルと指示されたセルである。ＲＲＣコネクションが構築された時点、または、後に、セカンダリーセルが設定されてもよい。
【００１９】
下りリンクにおいて、セルに対応するキャリアを下りリンクコンポーネントキャリアと称する。上りリンクにおいて、セルに対応するキャリアを上りリンクコンポーネントキャリアと称する。コンポーネントキャリアは送信帯域幅設定を含む。例えば、送信帯域幅設定は、１．４ＭＨｚ、５ＭＨｚ、１０ＭＨｚ、１５ＭＨｚ、２０ＭＨｚである。
【００２０】
図１は、本実施形態の無線通信システムの概念図である。図１において、無線通信システムは、端末装置１Ａ〜１Ｃ、および基地局装置３を具備する。以下、端末装置１Ａ〜１Ｃを端末装置１という。
【００２１】
本実施形態の物理チャネルおよび物理信号について説明する。
【００２２】
図１において、端末装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００２３】
ＰＵＣＣＨは、上りリンク制御情報（Uplink Control Information: UCI）を送信するために用いられる物理チャネルである。上りリンク制御情報は、下りリンクのチャネル状態情報（Channel State Information: CSI）、ＰＵＳＣＨリソースの要求を示すスケジューリング要求（Scheduling Request: SR）、下りリンクデータ（Transport block, Downlink-Shared Channel: DL-SCH）に対するＡＣＫ（acknowledgement）／ＮＡＣＫ（negative-acknowledgement）を含む。ＡＣＫ／ＮＡＣＫを、ＨＡＲＱ−ＡＣＫ、ＨＡＲＱフィードバック、または、応答情報とも称する。
【００２４】
チャネル状態情報は、チャネル品質指標（Channel Quality Indicator: CQI）、ＲＩ（Rank Indicator）、および、ＰＭＩ（Precoding Matrix Indicator）を含む。ＣＱＩは、ＰＤＳＣＨで送信される単一のトランスポートブロックに対する、変調方式と符号化率の組合せを表現する。ＲＩは、端末装置１によって決定される有効なレイヤー（useful layers）の数を示す。ＰＭＩは、端末装置１によって決定されるコードブックを示す。該コードブックは、ＰＤＳＣＨのプリコーディングに関連する。
【００２５】
ＰＵＳＣＨは、上りリンクデータ（Uplink-Shared Channel: UL-SCH）を送信するために用いられる物理チャネルである。また、ＰＵＳＣＨは、上りリンクデータと共にＨＡＲＱ−ＡＣＫおよび／またはチャネル状態情報を送信するために用いられてもよい。また、ＰＵＳＣＨはチャネル状態情報のみ、または、ＨＡＲＱ−ＡＣＫおよびチャネル状態情報のみを送信するために用いられてもよい。
【００２６】
ＰＲＡＣＨは、ランダムアクセスプリアンブルを送信するために用いられる物理チャネルである。
【００２７】
図１において、上りリンクの無線通信では、以下の上りリンク物理信号が用いられる。上りリンク物理信号は、上位層から出力された情報を送信するために使用されないが、物理層によって使用される。
・上りリンク参照信号（Uplink Reference Signal: UL RS）
【００２８】
本実施形態において、以下の２つのタイプの上りリンク参照信号が用いられる。
・ＤＭＲＳ（Demodulation Reference Signal）
・ＳＲＳ（Sounding Reference Signal）
【００２９】
ＤＭＲＳは、ＰＵＳＣＨまたはＰＵＣＣＨの送信に関連する。ＳＲＳは、ＰＵＳＣＨまたはＰＵＣＣＨの送信に関連しない。
【００３０】
図１において、基地局装置３から端末装置１への下りリンクの無線通信では、以下の下りリンク物理チャネルが用いられる。下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
【００３１】
ＰＢＣＨは、端末装置１で共通に用いられるマスターインフォメーションブロック（Master Information Block: MIB, Broadcast Channel: BCH）を報知するために用いられる
。ＭＩＢは、４０ms間隔で送信され、ＭＩＢは１０ｍｓ周期で繰り返し送信される。具体的には、SFN mod 4 = 0を満たす無線フレームにおけるサブフレーム０においてＭＩＢの初期送信が行なわれ、他の全ての無線フレームにおけるサブフレーム０においてＭＩＢの再送信（repetition）が行なわれる。ＳＦＮ（system frame number）は無線フレームの番号である。ＭＩＢはシステム情報である。例えば、ＭＩＢは、ＳＦＮを示す情報を含む。ＰＢＣＨは送信アンテナポート０から３の一部、または、全部において送信される。
【００３２】
ＰＣＦＩＣＨは、ＰＤＣＣＨの送信に用いられる領域（ＯＦＤＭシンボル）を指示する情報を送信するために用いられる。
【００３３】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。
【００３４】
ＰＤＣＣＨおよびＥＰＤＣＣＨは、下りリンク制御情報（Downlink Control Information: DCI）を送信するために用いられる。下りリンク制御情報を、ＤＣＩフォーマットとも称する。下りリンク制御情報は、下りリンクグラント（downlink grant）および上りリンクグラント（uplink grant）を含む。下りリンクグラントは、下りリンクアサインメント（downlink assignment）または下りリンク割り当て（downlink allocation）とも称する。
【００３５】
下りリンクグラントは、単一のセル内の単一のＰＤＳＣＨのスケジューリングに用いられる。下りリンクグラントは、該下りリンクグラントが送信されたサブフレームと同じサブフレーム内のＰＤＳＣＨのスケジューリングに用いられる。上りリンクグラントは、単一のセル内の単一のＰＵＳＣＨのスケジューリングに用いられる。上りリンクグラントは、該上りリンクグラントが送信されたサブフレームより４つ以上後のサブフレーム内の単一のＰＵＳＣＨのスケジューリングに用いられる。
【００３６】
ＤＣＩフォーマットには、ＣＲＣ（Cyclic Redundancy Check）パリティビットが付加される。ＣＲＣパリティビットは、Ｃ−ＲＮＴＩ（Cell-Radio Network Temporary Identifier）、または、ＳＰＳ  Ｃ−ＲＮＴＩ（Semi Persistent Scheduling Cell-Radio Network Temporary Identifier）でスクランブルされる。Ｃ−ＲＮＴＩおよびＳＰＳ  Ｃ−ＲＮＴＩは、セル内において端末装置１を識別するための識別子である。Ｃ−ＲＮＴＩは、単一のサブフレームにおけるＰＤＳＣＨまたはＰＵＳＣＨを制御するために用いられる。ＳＰＳ  Ｃ−ＲＮＴＩは、ＰＤＳＣＨまたはＰＵＳＣＨのリソースを周期的に割り当てるために用いられる。
【００３７】
ＰＤＳＣＨは、下りリンクデータ（Downlink Shared Channel: DL-SCH）を送信するために用いられる。
【００３８】
ＰＭＣＨは、マルチキャストデータ（Multicast Channel: MCH）を送信するために用いられる。
【００３９】
図１において、下りリンクの無線通信では、以下の下りリンク物理信号が用いられる。下りリンク物理信号は、上位層から出力された情報を送信するために使用されないが、物理層によって使用される。
・同期信号（Synchronization signal: SS）
・下りリンク参照信号（Downlink Reference Signal: DL RS）
【００４０】
同期信号は、端末装置１が下りリンクの周波数領域および時間領域の同期をとるために用いられる。
【００４１】
下りリンク参照信号は、端末装置１が下りリンク物理チャネルの伝搬路補正を行なうために用いられる。下りリンク参照信号は、端末装置１が下りリンクのチャネル状態情報を算出するために用いられる。
【００４２】
本実施形態において、以下の５つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
・ＰＲＳ（Positioning Reference Signal）
【００４３】
ＣＲＳは、サブフレームの全帯域で送信される。ＣＲＳは、ＰＢＣＨ／ＰＤＣＣＨ／ＰＨＩＣＨ／ＰＣＦＩＣＨ／ＰＤＳＣＨの復調を行なうために用いられる。ＣＲＳは、端末装置１が下りリンクのチャネル状態情報を算出するために用いられてもよい。ＰＢＣＨ／ＰＤＣＣＨ／ＰＨＩＣＨ／ＰＣＦＩＣＨは、ＣＲＳの送信に用いられるアンテナポートで送信される。
【００４４】
ＰＤＳＣＨに関連するＵＲＳは、ＵＲＳが関連するＰＤＳＣＨの送信に用いられるサブフレームおよび帯域で送信される。ＵＲＳは、ＵＲＳが関連するＰＤＳＣＨの復調を行なうために用いられる。
【００４５】
ＰＤＳＣＨは、ＣＲＳまたはＵＲＳの送信に用いられるアンテナポートで送信される。例えば、ＤＣＩフォーマット１Ａは、ＣＲＳの送信に用いられるアンテナポートで送信されるＰＤＳＣＨのスケジューリングに用いられる。例えば、ＤＣＩフォーマット２Ｂ、ＤＣＩフォーマット２Ｃ、および、ＤＣＩフォーマット２Ｄは、ＵＲＳの送信に用いられるアンテナポートで送信されるＰＤＳＣＨのスケジューリングに用いられる。
【００４６】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。ＥＰＤＣＣＨは、ＤＭＲＳの送信に用いられるアンテナポートで送信される。
【００４７】
ＮＺＰ  ＣＳＩ−ＲＳは、設定されたサブフレームで送信される。ＮＺＰ  ＣＳＩ−ＲＳが送信されるリソースは、基地局装置が設定する。ＮＺＰ  ＣＳＩ−ＲＳは、端末装置１が下りリンクのチャネル状態情報を算出するために用いられる。端末装置１は、ＮＺＰ  ＣＳＩ−ＲＳを用いて信号測定（チャネル測定）を行なう。ＮＺＰ  ＣＳＩ−ＲＳは、送信アンテナポート１５から２２の一部、または、全部において送信される。端末装置１は、基地局装置３から受信した情報に基づいて、ＮＺＰ  ＣＳＩ−ＲＳの送信のための送信アンテナポートを設定／特定する。
【００４８】
ＺＰ  ＣＳＩ−ＲＳのリソースは、基地局装置３が設定する。基地局装置３は、ＺＰ  ＣＳＩ−ＲＳをゼロ出力で送信する。つまり、基地局装置３は、ＺＰ  ＣＳＩ−ＲＳを送信しない。基地局装置３は、ＺＰ  ＣＳＩ−ＲＳの設定したリソースにおいて、ＰＤＳＣＨおよびＥＰＤＣＣＨを送信しない。例えば、あるセルにおいてＮＺＰ  ＣＳＩ−ＲＳが対応するリソースにおいて、端末装置１は、干渉を測定することができる。
【００４９】
ＭＢＳＦＮ  ＲＳは、ＰＭＣＨの送信に用いられるサブフレームの全帯域で送信される。ＭＢＳＦＮ  ＲＳは、ＰＭＣＨの復調を行なうために用いられる。ＰＭＣＨは、ＭＢＳＦＮ  ＲＳの送信用いられるアンテナポートで送信される。
【００５０】
ＰＲＳは、ＲＳＴＤ（Reference Signal Time Difference）の測定のために用いられてもよい。ＲＳＴＤは、隣接セルと参照セルの間の相対的なタイミング差（relative timing difference）によって定義される。
【００５１】
下りリンク物理チャネルおよび下りリンク物理信号を総称して、下りリンク信号と称する。上りリンク物理チャネルおよび上りリンク物理信号を総称して、上りリンク信号と称する。下りリンク物理チャネルおよび上りリンク物理チャネルを総称して、物理チャネルと称する。下りリンク物理信号および上りリンク物理信号を総称して、物理信号と称する。
【００５２】
ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００５３】
以下、本実施形態の無線フレーム（radio frame）の構成について説明する。
【００５４】
図２は、本実施形態の無線フレームの概略構成を示す図である。無線フレームのそれぞれは、１０ｍｓ長である。図２において、横軸は時間軸である。また、無線フレームのそれぞれは２つのハーフフレームから構成される。ハーフフレームのそれぞれは、５ｍｓ長である。ハーフフレームのそれぞれは、５のサブフレームから構成される。サブフレームのそれぞれは、１ｍｓ長であり、２つの連続するスロットによって定義される。スロットのそれぞれは、０．５ｍｓ長である。無線フレーム内のｉ番目のサブフレームは、（２×ｉ）番目のスロットと（２×ｉ＋１）番目のスロットとから構成される。つまり、１０ｍｓ間隔のそれぞれにおいて、１０個のサブフレームが利用できる。
【００５５】
本実施形態では、以下の３つのタイプのサブフレームを定義する。
・下りリンクサブフレーム（第１のサブフレーム）
・上りリンクサブフレーム（第２のサブフレーム）
・スペシャルサブフレーム（第３のサブフレーム）
【００５６】
下りリンクサブフレームは下りリンク送信のためにリザーブされるサブフレームである。上りリンクサブフレームは上りリンク送信のためにリザーブされるサブフレームである。スペシャルサブフレームは３つのフィールドから構成される。該３つのフィールドは、ＤｗＰＴＳ（Downlink Pilot Time Slot）、ＧＰ（Guard Period）、およびＵｐＰＴＳ（Uplink Pilot Time Slot）である。ＤｗＰＴＳ、ＧＰ、およびＵｐＰＴＳの合計の長さは１ｍｓである。ＤｗＰＴＳは下りリンク送信のためにリザーブされるフィールドである。ＵｐＰＴＳは上りリンク送信のためにリザーブされるフィールドである。ＧＰは下りリンク送信および上りリンク送信が行なわれないフィールドである。尚、スペシャルサブフレームは、ＤｗＰＴＳおよびＧＰのみによって構成されてもよいし、ＧＰおよびＵｐＰＴＳのみによって構成されてもよい。
【００５７】
単一の無線フレームは、少なくとも下りリンクサブフレーム、上りリンクサブフレーム、およびスペシャルサブフレームから構成される。
【００５８】
本実施形態の無線通信システムは、５ｍｓと１０ｍｓの下りリンク‐上りリンク・スイッチポイント周期（downlink-to-uplink switch-point periodicity）をサポートする。下りリンク‐上りリンク・スイッチポイント周期が５ｍｓの場合には、無線フレーム内の両方のハーフフレームにスペシャルサブフレームが含まれる。下りリンク‐上りリンク・スイッチポイント周期が１０ｍｓの場合には、無線フレーム内の最初のハーフフレームのみにスペシャルサブフレームが含まれる。
【００５９】
以下、本実施形態のスロットの構成について説明する。
【００６０】
図３は、本実施形態のスロットの構成を示す図である。本実施形態では、ＯＦＤＭシンボルに対してノーマルＣＰ（normal Cyclic Prefix）が適用される。尚、ＯＦＤＭシンボルに対して拡張ＣＰ（extended Cyclic Prefix）が適用されてもよい。スロットのそれぞれにおいて送信される物理信号または物理チャネルは、リソースグリッドによって表現される。図３において、横軸は時間軸であり、縦軸は周波数軸である。下りリンクにおいて、リソースグリッドは複数のサブキャリアと複数のＯＦＤＭシンボルによって定義される。上りリンクにおいて、リソースグリッドは複数のサブキャリアと複数のＳＣ−ＦＤＭＡシンボルによって定義される。１つのスロットを構成するサブキャリアの数は、セルの帯域幅に依存する。１つのスロットを構成するＯＦＤＭシンボルまたはＳＣ−ＦＤＭＡシンボルの数は７である。リソースグリッド内のエレメントのそれぞれをリソースエレメントと称する。リソースエレメントは、サブキャリアの番号とＯＦＤＭシンボルまたはＳＣ−ＦＤＭＡシンボルの番号とを用いて識別する。
【００６１】
リソースブロックは、ある物理チャネル（ＰＤＳＣＨまたはＰＵＳＣＨなど）のリソースエレメントへのマッピングを表現するために用いられる。リソースブロックは、仮想リソースブロックと物理リソースブロックが定義される。ある物理チャネルは、まず仮想リソースブロックにマップされる。その後、仮想リソースブロックは、物理リソースブロックにマップされる。１つの物理リソースブロックは、時間領域において７個の連続するＯＦＤＭシンボルまたはＳＣ−ＦＤＭＡシンボルと周波数領域において１２個の連続するサブキャリアとから定義される。ゆえに、１つの物理リソースブロックは（７×１２）個のリソースエレメントから構成される。また、１つの物理リソースブロックは、時間領域において１つのスロットに対応し、周波数領域において１８０ｋＨｚに対応する。物理リソースブロックは周波数領域において０から番号が付けられる。
【００６２】
図４は、本実施形態の端末装置１の構成を示す概略ブロック図である。図示するように、端末装置１は、上位層処理部１０１、制御部１０３、受信部１０５、送信部１０７と送受信アンテナ１０９を含んで構成される。また、上位層処理部１０１は、無線リソース制御部１０１１、スケジューリング情報解釈部１０１３、および、チャネル状態情報（ＣＳＩ）報告制御部１０１５を含んで構成される。また、受信部１０５は、復号化部１０５１、復調部１０５３、多重分離部１０５５、無線受信部１０５７と測定部１０５９を含んで構成される。また、送信部１０７は、符号化部１０７１、変調部１０７３、多重部１０７５、無線送信部１０７７と上りリンク参照信号生成部１０７９を含んで構成される。
【００６３】
上位層処理部１０１は、ユーザの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【００６４】
上位層処理部１０１が備える無線リソース制御部１０１１は、自装置の各種設定情報の管理をする。また、無線リソース制御部１０１１は、上りリンクの各チャネルに配置される情報を生成し、送信部１０７に出力する。
【００６５】
上位層処理部１０１が備えるスケジューリング情報解釈部１０１３は、受信部１０５を介して受信したＤＣＩフォーマット（スケジューリング情報）の解釈をし、前記ＤＣＩフォーマットを解釈した結果に基づき、受信部１０５、および送信部１０７の制御を行なうために制御情報を生成し、制御部１０３に出力する。
【００６６】
ＣＳＩ報告制御部１０１５は、測定部１０５９に、ＣＳＩ参照リソースに関連するチャネル状態情報（ＲＩ／ＰＭＩ／ＣＱＩ）を導き出すよう指示する。ＣＳＩ報告制御部１０１５は、送信部１０７に、ＲＩ／ＰＭＩ／ＣＱＩを送信するよう指示をする。ＣＳＩ報告制御部１０１５は、測定部１０５９がＣＱＩを算出する際に用いる設定をセットする。
【００６７】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【００６８】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【００６９】
無線受信部１０５７は、送受信アンテナ１０９を介して受信した下りリンクの信号を、中間周波数に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guard Interval: GI）に相当する部分を除去し、ガードインターバルを除去した信号に対して高速フーリエ変換（Fast Fourier Transform: FFT）を行い、周波数領域の信号を抽出する。
【００７０】
多重分離部１０５５は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部１０５５は、測定部１０５９から入力された伝搬路の推定値から、ＰＨＩＣＨ、ＰＤＣＣＨ、ＥＰＤＣＣＨ、およびＰＤＳＣＨの伝搬路の補償を行なう。また、多重分離部１０５５は、分離した下りリンク参照信号を測定部１０５９に出力する。
【００７１】
復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨおよび／またはＥＰＤＣＣＨに対して、ＱＰＳＫ変調方式の復調を行ない、復号化部１０５１へ出力する。復号化部１０５１は、ＰＤＣＣＨおよび／またはＥＰＤＣＣＨの復号を試み、復号に成功した場合、復号した下りリンク制御情報と下りリンク制御情報が対応するＲＮＴＩとを上位層処理部１０１に出力する。
【００７２】
復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクグラントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【００７３】
測定部１０５９は、多重分離部１０５５から入力された下りリンク参照信号から、下りリンクのパスロスの測定、チャネル測定、および／または、干渉測定を行う。測定部１０５９は、測定結果に基づいて算出したチャネル状態情報、および、測定結果を上位層処理部１０１へ出力する。また、測定部１０５９は、下りリンク参照信号から下りリンクの伝搬路の推定値を算出し、多重分離部１０５５へ出力する。
【００７４】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ１０９を介して基地局装置３に送信する。
【００７５】
符号化部１０７１は、上位層処理部１０１から入力された上りリンク制御情報、および、上りリンクデータを符号化する。変調部１０７３は、符号化部１０７１から入力された符号化ビットをＢＰＳＫ、ＱＰＳＫ、１６ＱＡＭ、６４ＱＡＭ等の変調方式で変調する。
【００７６】
上りリンク参照信号生成部１０７９は、基地局装置３を識別するための物理セル識別子（physical cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。
【００７７】
多重部１０７５は、ＰＵＳＣＨのスケジューリングに用いられる情報に基づき、空間多重されるＰＵＳＣＨのレイヤーの数を決定し、ＭＩＭＯ  ＳＭ（Multiple Input Multiple Output Spatial Multiplexing）を用いることにより同一のＰＵＳＣＨで送信される複数の上りリンクデータを、複数のレイヤーにマッピングし、このレイヤーに対してプレコーディング（precoding）を行なう。
【００７８】
多重部１０７５は、制御部１０３から入力された制御信号に従って、ＰＵＳＣＨの変調シンボルを離散フーリエ変換（Discrete Fourier Transform: DFT）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【００７９】
無線送信部１０７７は、多重された信号を逆高速フーリエ変換（Inverse Fast Fourier Transform: IFFT）して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【００８０】
図５は、本実施形態の基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１、スケジューリング部３０１３、および、ＣＳＩ報告制御部３０１５を含んで構成される。また、受信部３０５は、復号化部３０５１、復調部３０５３、多重分離部３０５５、無線受信部３０５７と測定部３０５９を含んで構成される。また、送信部３０７は、符号化部３０７１、変調部３０７３、多重部３０７５、無線送信部３０７７と下りリンク参照信号生成部３０７９を含んで構成される。
【００８１】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【００８２】
上位層処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥ（Control Element）などを生成し、又は上位ノードから取得し、送信部３０７に出力する。また、無線リソース制御部３０１１は、端末装置１各々の各種設定情報の管理をする。
【００８３】
上位層処理部３０１が備えるスケジューリング部３０１３は、受信したチャネル状態情報および測定部３０５９から入力された伝搬路の推定値やチャネルの品質などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１３は、スケジューリング結果に基づき、受信部３０５、および送信部３０７の制御を行なうために制御情報を生成し、制御部３０３に出力する。スケジューリング部３０１３は、スケジューリング結果に基づき、物理チャネル（ＰＤＳＣＨおよびＰＵＳＣＨ）のスケジューリングに用いられる情報（例えば、ＤＣＩフォーマット）を生成する。
【００８４】
上位層処理部３０１が備えるＣＳＩ報告制御部３０１５は、端末装置１のＣＳＩ報告を制御する。ＣＳＩ報告制御部３０１５は、端末装置１がＣＳＩ参照リソースにおいてＲＩ／ＰＭＩ／ＣＱＩを導き出すために想定する、各種設定を示す情報を、送信部３０７を介して、端末装置１に送信する。
【００８５】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【００８６】
受信部３０５は、制御部３０３から入力された制御信号に従って、送受信アンテナ３０９を介して端末装置１から受信した受信信号を分離、復調、復号し、復号した情報を上位層処理部３０１に出力する。無線受信部３０５７は、送受信アンテナ３０９を介して受信された上りリンクの信号を、中間周波数に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【００８７】
無線受信部３０５７は、変換したディジタル信号からガードインターバル（Guard Interval: GI）に相当する部分を除去する。無線受信部３０５７は、ガードインターバルを除去した信号に対して高速フーリエ変換（Fast Fourier Transform: FFT）を行い、周波数領域の信号を抽出し多重分離部３０５５に出力する。
【００８８】
多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各端末装置１に通知した上りリンクグラントに含まれる無線リソースの割り当て情報に基づいて行なわれる。また、多重分離部３０５５は、測定部３０５９から入力された伝搬路の推定値から、ＰＵＣＣＨとＰＵＳＣＨの伝搬路の補償を行なう。また、多重分離部３０５５は、分離した上りリンク参照信号を測定部３０５９に出力する。
【００８９】
復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が端末装置１各々に上りリンクグラントで予め通知した変調方式を用いて受信信号の復調を行なう。復調部３０５３は、端末装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【００９０】
復号化部３０５１は、復調されたＰＵＣＣＨとＰＵＳＣＨの符号化ビットを、予め定められた符号化方式の、予め定められた、又は自装置が端末装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。測定部３０９は、多重分離部３０５５から入力された上りリンク参照信号から伝搬路の推定値、チャネルの品質などを測定し、多重分離部３０５５および上位層処理部３０１に出力する。
【００９１】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＥＰＤＣＣＨ、ＰＤＳＣＨ、および下りリンク参照信号を多重して、送受信アンテナ３０９を介して端末装置１に信号を送信する。
【００９２】
符号化部３０７１は、上位層処理部３０１から入力されたＨＡＲＱインディケータ、下りリンク制御情報、および下りリンクデータを符号化する。変調部３０７３は、符号化部３０７１から入力された符号化ビットをＢＰＳＫ、ＱＰＳＫ、１６ＱＡＭ、６４ＱＡＭ等の変調方式で変調する。
【００９３】
下りリンク参照信号生成部３０７９は、基地局装置３を識別するための物理セル識別子（ＰＣＩ）などを基に予め定められた規則で求まる、端末装置１が既知の系列を下りリンク参照信号として生成する。
【００９４】
多重部３０７５は、空間多重されるＰＤＳＣＨのレイヤーの数に応じて、１つのＰＵＳＣＨで送信される１つまたは複数の下りリンクデータを、１つまたは複数のレイヤーにマッピングし、該１つまたは複数のレイヤーに対してプレコーディング（precoding）を行なう。多重部３７５は、下りリンク物理チャネルの信号と下りリンク参照信号を送信アンテナポート毎に多重する。多重部３７５は、送信アンテナポート毎に、下りリンク物理チャネルの信号と下りリンク参照信号をリソースエレメントに配置する。
【００９５】
無線送信部３０７７は、多重された変調シンボルなどを逆高速フーリエ変換（Inverse Fast Fourier Transform: IFFT）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ３０９に出力して送信する。
【００９６】
図６は、本実施形態の符号化部３０７１における処理の一例を示す図である。符号化部３０７１は、図６の処理を、トランスポートブロックのそれぞれに対して適用してもよい。１つのトランスポートブロックは、１つのコードワードにマップされる。すなわち、トランスポートブロックを符号化することは、コードワードを符号化することと同一である。
【００９７】
符号化部３０７１は、上位層処理部３０１から入力された１つのコードワードに、対応するＣＲＣパリティビットを付加した後、コードワードを１つまたは複数のコードブロックに分割する（Ｓ６００）。コードブロックのそれぞれには、対応するＣＲＣパリティビットが付加されてもよい。
【００９８】
１つまたは複数のコードブロックのそれぞれは、符号化（例えば、ターボ符号化、または、畳み込み符号化）される（Ｓ６０１）。コードブロックの符号化ビットの系列のそれぞれに対して、レートマッチングが適用される（Ｓ６０２）。レートマッチングが適用された１つまたは複数のコードブロックを連結することによって、コードワードの符号化ビットの系列が得られる（Ｓ６０３）。コードワードの符号化ビットの系列は、変調部３０７３に出力される。
【００９９】
図７は、本実施形態の多重部３０７５における処理の一例を示す図である。多重部３０７５は、変調部３０７３から入力された第１のコードワードの複素数値シンボル、および、第２のコードワードの複素数値シンボルを１つまたは複数のレイヤーにマップする（Ｓ７００）。尚、第１のコードワードの複素数値シンボルのみが、変調部３０７３から入力されてもよい。尚、入力されるコードワードの数は、レイヤーの数と同じ、または、それより小さい。
【０１００】
レイヤーにマップされた複素数値シンボルに対して、プリコーディングが適用される（Ｓ７０１）。プリコーディングによって、対応する送信アンテナポートの数と同じ数の複素数値シンボルの系列が生成される。尚、レイヤーの数は、ＰＤＳＣＨの送信に対応する送信アンテナポートの数と同じ、または、それより小さい。ＰＤＳＣＨの送信に対応する送信アンテナポート毎に、プリコーディングが適用された複素数値シンボルがリソースエレメントにマップされる（Ｓ７０２）。
【０１０１】
端末装置１は、基地局装置３から受信した情報に基づいて、ＰＤＳＣＨ送信に対する送信モードを設定する。端末装置１は、該送信モードに応じて、ＰＤＣＣＨを介してシグナルされたＰＤＳＣＨデータ送信を受信するよう、上位層によって設定される。端末装置１は、送信モードに応じて、モニタするＤＣＩフォーマットを選択する。また、端末装置１は、送信モード、および、受信したＤＣＩフォーマットに応じて、該ＤＣＩフォーマットに対応するＰＤＳＣＨの送信方式を特定する。
【０１０２】
図８は、本実施形態における送信モード、ＤＣＩフォーマット、および、ＰＤＳＣＨの送信方式の対応の一例を示す図である。図８のＰ８００の列は、送信モードを示す。図８のＰ８０１の列は、ＤＣＩフォーマットを示す。図８のＰ８０２の列は、ＰＤＣＣＨに対応するＰＤＳＣＨの送信方式、および、該ＰＤＳＣＨの送信方式によってサポートされるレイヤーの数を示す。例えば、図８において、端末装置１が送信モード４を設定されており、且つ、ＰＤＣＣＨでＤＣＩフォーマット２を受信した場合、該ＰＤＣＣＨに対応するＰＤＳＣＨの送信方式は閉ループ空間多重（４レイヤーまで）、または、送信ダイバーシチ（１レイヤー）である。尚、ＤＣＩフォーマット２に含まれる情報は、閉ループ空間多重、および、送信ダイバーシチの何れか一方を示す。また、ＤＣＩフォーマット２に含まれる情報は、空間多重されるレイヤーの数を示す。
【０１０３】
端末装置１は、基地局装置３に能力情報（UECapabilityInformation）を送信する。基地局装置３は、前記能力情報に応じて、端末装置１を設定し、端末装置１をスケジューリングする。
【０１０４】
能力情報は、複数の能力パラメータ（UE radio access capability parameters）を含んでもよい。１つの能力パラメータは、１つの機能、または、１つの機能のグループに対応する。１つの能力パラメータは、対応する機能、または、対応する機能のグループが成功裏にテストされたかどうかを示してもよい。１つの能力パラメータは、端末装置１が、対応する機能、または、対応する機能のグループをサポートするかどうかを示してもよい。能力情報は、ＲＲＣ層の情報である。能力パラメータは、ＲＲＣ層のパラメータである。
【０１０５】
能力情報は、ＵＥカテゴリーを示す１つまたは複数の能力パラメータを含んでもよい。能力情報は、下りリンクＵＥカテゴリーを示す１つの能力パラメータを含んでもよい。本実施形態において、下りリンクＵＥカテゴリーは、ＵＥカテゴリーとは別に定義される。ＵＥカテゴリー、および、下りリンクＵＥカテゴリーは、ＤＬ−ＳＣＨソフトチャネルビットの総数、および、下りリンクにおける空間多重のためのサポートされるレイヤーの最大数に対応する。ＤＬ−ＳＣＨソフトチャネルビットの総数は、ＤＬ−ＳＣＨのＨＡＲＱプロセッシングのために利用可能なソフトチャネルビットの総数である。
【０１０６】
図９は、本実施形態におけるＵＥカテゴリーの一例を示す図である。図９のＰ９００の列は、ＵＥカテゴリーを示す能力パラメータを示す。図９のＰ９０１の列は、能力パラメータによって示されるＵＥカテゴリーを示す。図９のＰ９０２は、ＵＥカテゴリーが対応するＤＬ−ＳＣＨソフトチャネルビットの総数を示す。図９のＰ９０３は、ＵＥカテゴリーが対応する下りリンクにおける空間多重のためのサポートされるレイヤーの最大数を示す。能力パラメータue-Category (without suffix)は、ＵＥカテゴリー１から５の何れか１つを示す。能力パラメータue-Category-v1020は、ＵＥカテゴリー６から８の何れか１つを示す。能力パラメータue-Category-v1170は、ＵＥカテゴリー９および１０の何れか１つを示す。能力パラメータue-Category-v11a0は、ＵＥカテゴリー１１および１２の何れか１つを示す。
【０１０７】
図１０は、本実施形態における下りリンクＵＥカテゴリーの一例を示す図である。図１０のＰ１０００の列は、下りリンクＵＥカテゴリーを示す能力パラメータを示す。図１０のＰ１００１の列は、能力パラメータによって示される下りリンクＵＥカテゴリーを示す。図１０のＰ１００２は、下りリンクＵＥカテゴリーが対応するＤＬ−ＳＣＨソフトチャネルビットの総数を示す。図１０のＰ１００３は、下りリンクＵＥカテゴリーが対応する下りリンクにおける空間多重のためのサポートされるレイヤーの最大数を示す。能力パラメータue-CategoryDL-r12は、下りリンクＵＥカテゴリー０、６、７、９、１０、１１、１２、１３、および、１４のうちの何れか１つを示す。
【０１０８】
図１１は、本実施形態の複数の能力パラメータによって示されるカテゴリーの組み合わせの一例を示す図である。図１１のケース９は、能力パラメータue-CategoryDL-r12が下りリンクＵＥカテゴリー９を示す場合に、能力パラメータue-Category-v1020がＵＥカテゴリー６を示し、能力パラメータue-Category (without suffix)がＵＥカテゴリー４を示すことを表現している。
【０１０９】
能力情報は、端末装置１によってサポートされるキャリアアグリゲーション、および、ＭＩＭＯを示す能力パラメータsupportedBandCombinationを含んでもよい。能力パラメータsupportedBandCombinationは、１つまたは複数のバンドコンビネーションを示す。該１つのバンドコンビネーションは、１つまたは複数のバンドを含む。該１つのバンドは、サポートされるバンド幅クラス、および、下りリンクに対するＭＩＭＯ能力の１つまたは複数の組み合わせを含む。すなわち、能力パラメータsupportedBandCombinationにおいて特定されるバンドの組み合わせ毎のバンド毎のバンド幅クラスのそれぞれに対して、端末装置１は基地局装置３に下りリンクに対するＭＩＭＯ能力を提供する。該下りリンクに対するＭＩＭＯ能力は、端末装置１によってサポートされるレイヤーの最大数を示し、且つ、バンド幅クラスに対応する全てのコンポーネントキャリア（セル）に適用される。
【０１１０】
バンド幅クラスは、該バンド幅クラスに対して端末装置１によってサポートされる、集約される送信帯域幅設定、および、コンポーネントキャリアの最大数に対応する。集約される送信帯域幅設定は、対応するバンドにおいて集約されるコンポーネントキャリアに含まれるリソースブロックの総数によって定義される。尚、バンド幅クラスに対応する複数のコンポーネントキャリアは、周波数領域において連続している。周波数領域において連続しているコンポーネントキャリア間には、３００ｋＨｚ、または、それより小さいガードバンドがあってもよい。
【０１１１】
図１２は、本実施形態のバンド幅クラスの一例を示す図である。図１２において、バンド幅クラスがＣである場合、集約される送信帯域幅設定は、２５より大きく、１００と同じ、または、それより小さく、且つ、コンポーネントキャリアの最大数は、２である。
【０１１２】
図１３および図１４は、本実施形態における能力パラメータsupportedBandCombinationの構成の一例を示す図である。能力パラメータsupportedBandCombinationは、能力パラメータRF-Parameters-r10に含まれる。能力パラメータsupportedBandCombinationは、１つまたは複数のパラメータBandCombinationParameters-r10を含む。能力パラメータsupportedBandCombinationは、バンドコンビネーションを示す。パラメータBandCombinationParameters-r10は、１つまたは複数のパラメータBandParameters-r10を含む。パラメータBandParameters-r10は、１つのバンドを示す。
【０１１３】
パラメータBandParameters-r10に含まれるパラメータFreqBandIndicatorは、対応するバンドの周波数を示す。パラメータBandParameters-r10に含まれるパラメータbandParametersUL-r10は、１つまたは複数のパラメータCA-MIMO-ParametersUL-r10を含む。パラメータCA-MIMO-ParametersUL-r10は、パラメータca-BandwidthClassUL-r10、および、パラメータsupportedMIMO-CapabilityUL-r10を含む。パラメータca-BandwidthClassUL-r10は、対応するバンドにおける上りリンクに対するバンド幅クラスを示す。パラメータsupportedMIMO-CapabilityUL-r10は、対応するバンドにおける上りリンクに対するＭＩＭＯ能力（端末装置１によってサポートされるレイヤーの最大数）を示す。すなわち、パラメータca-BandwidthClassUL-r10は、バンド幅クラス、および、上りリンクに対するＭＩＭＯ能力の１つの組み合わせを示す。
【０１１４】
パラメータBandParameters-r10に含まれるパラメータbandParametersDL-r10は、１つまたは複数のパラメータCA-MIMO-ParametersDL-r10を含む。パラメータCA-MIMO-ParametersDL-r10は、パラメータca-BandwidthClassDL-r10、および、パラメータsupportedMIMO-CapabilityDL-r10を含む。パラメータca-BandwidthClassDL-r10は、対応するバンドにおける下りリンクに対するバンド幅クラスを示す。パラメータsupportedMIMO-CapabilityDL-r10は、対応するバンドにおける下りリンクに対するＭＩＭＯ能力（端末装置１によってサポートされるレイヤーの最大数）を示す。すなわち、パラメータca-BandwidthClassDL-r10
は、バンド幅クラス、および、下りリンクに対するＭＩＭＯ能力の１つの組み合わせを示す。
【０１１５】
能力パラメータsupportedBandCombinationは、キャリアアグリゲーションをともなわないＭＩＭＯ能力（端末装置１によってサポートされるレイヤーの最大数）を示してもよい。
【０１１６】
能力パラメータsupportedBandCombinationにおいて特定されるバンドの組み合わせ毎のバンド毎のバンド幅クラスのそれぞれに対して、さらに、端末装置１は、端末装置１によってサポートされるレイヤーの最大数を示し、且つ、バンド幅クラスに対応する下りリンクコンポーネントキャリアの何れか１つに適用されるＭＩＭＯ能力（パラメータsupportedMIMO-CapabilityDL-v10xx）を基地局装置に提供する。能力パラメータsupportedBandCombinationにおいて特定されるバンドの組み合わせ毎のバンド毎のバンド幅クラスのそれぞれに対して、パラメータsupportedMIMO-CapabilityDL-v10xxが能力情報に含まれてもよい。
【０１１７】
すなわち、能力パラメータsupportedBandCombinationにおいて特定されるバンドの組み合わせ毎のバンド毎のバンド幅クラス（パラメータca-BandwidthClassDL-r10）のそれぞれに対して、端末装置１は基地局装置３に、該バンド幅クラスに対応する下りリンクコンポーネントキャリアの全てに適用される下りリンクに対するＭＩＭＯ能力（パラメータsupportedMIMO-CapabilityDL-r10）、および、該バンド幅クラスに対応する下りリンクコンポーネントキャリアのそれぞれに適用されるＭＩＭＯ能力（パラメータsupportedMIMO-CapabilityDL-v10xx）を提供する。尚、パラメータsupportedMIMO-CapabilityDL-v10xxは、能力パラメータsupportedBandCombinationに含まれなくてもよい。
【０１１８】
図１５は、本実施形態におけるバンド幅クラスとＭＩＭＯ能力の組み合わせの一例を示す図である。端末装置１は、能力パラメータsupportedBandCombinationにおいて特定されるバンドの１つの組み合わせにおける１つのバンドに対して、図１５で示される４つの組み合わせを基地局装置３に提供してもよい。図１５において、バンド幅クラスがＢである場合、パラメータsupportedMIMO-CapabilityDL-r10は２を示し、パラメータsupportedMIMO-CapabilityDL-v10xxは｛４、２｝を示す。
【０１１９】
図１５において、パラメータsupportedMIMO-CapabilityDL-v10xxを解読できない基地局装置３は、対応するバンドにおいて設定される２つの下りリンクコンポーネントキャリア（２つのセル）のそれぞれにおいてサポートされるレイヤーの最大数は２であると判断する。
【０１２０】
図１５において、パラメータsupportedMIMO-CapabilityDL-v10xxを解読できる基地局装置３は、対応するバンドにおいて設定される２つの下りリンクコンポーネントキャリア（２つのセル）の一方においてサポートされるレイヤーの最大数は４であり、該２つの下りリンクコンポーネントキャリアの他方においてサポートされるレイヤーの最大数は２であると判断する。
【０１２１】
以下、図１５の説明において、端末装置１は、１つのバンドにおいて２つの下りリンクコンポーネントキャリアが設定されていると想定する。ここで、該２つの下りリンクコンポーネントキャリアのどちらに対して４レイヤーまでを用いるＰＤＳＣＨ（ＤＬ−ＳＣＨ）送信が適用されるかは、基地局装置３によって制御されてもよい。基地局装置３は、該２つの下りリンクコンポーネントキャリアのうちの１つの第１の下りリンクコンポーネントキャリアに対してのみ適用され、レイヤーの最大数を示すパラメータLayersCount-v10xxを、端末装置１に送信してもよい。基地局装置３は、該２つの下りリンクコンポーネントキャリアのうちの１つの第２の下りリンクコンポーネントキャリアに対してのみ適用され、レイヤーの最大数を示すパラメータLayersCount-v10xxを、端末装置１に送信しても
よい。パラメータLayersCount-v10xxは、ＲＲＣ層のパラメータである。
【０１２２】
例えば、図１５において、基地局装置３は、該２つの下りリンクコンポーネントキャリアのうちの１つの第１の下りリンクコンポーネントキャリアに対するパラメータLayersCount-v10xxであって、４を示すパラメータLayersCount-v10xx、および、該２つの下りリンクコンポーネントキャリアのうちの１つの第２の下りリンクコンポーネントキャリアに対するパラメータLayersCount-v10xxであって、２を示すパラメータLayersCount-v10xxを、端末装置１に送信してもよい。
【０１２３】
例えば、図１５において、端末装置１は、該２つの下りリンクコンポーネントキャリアのうちの１つの第１の下りリンクコンポーネントキャリアに対するパラメータLayersCount-v10xxが受信／設定されている場合、該２つの下りリンクコンポーネントキャリアのうちの１つの第１の下りリンクコンポーネントキャリアにおけるＰＤＳＣＨ（ＤＬ−ＳＣＨ）送信に対して、該パラメータLayersCount-v10xxが示した４レイヤーまでが適用されると判断してもよい。
【０１２４】
例えば、図１５において、端末装置１は、該２つの下りリンクコンポーネントキャリアのうちの１つの第２の下りリンクコンポーネントキャリアに対するパラメータLayersCount-v10xxが受信／設定されていない場合、該２つの下りリンクコンポーネントキャリアのうちの１つの第２の下りリンクコンポーネントキャリアにおけるＰＤＳＣＨ（ＤＬ−ＳＣＨ）送信に対して、パラメータsupportedMIMO-CapabilityDL-r10が示した２レイヤーまでが適用されると判断してもよい。
【０１２５】
例えば、図１５において、端末装置１は、能力情報にパラメータsupportedMIMO-CapabilityDL-r10、および、パラメータsupportedMIMO-CapabilityDL-v10xxが含まれていなかった場合、該２つの下りリンクコンポーネントキャリアのうちの１つの第１の下りリンクコンポーネントキャリアにおけるＰＤＳＣＨ（ＤＬ−ＳＣＨ）送信に対して、能力パラメータue-Category (without suffix)が対応するレイヤーの最大数までが適用されると判断してもよい。
【０１２６】
図１６は、本実施形態における端末装置１と基地局装置３の間のシーケンスチャートの一例を示す図である。
【０１２７】
基地局装置３は、UECapabilityEnquiryメッセージを端末装置１に送信する（Ｓ１６０）。UECapabilityEnquiryメッセージは、ＲＲＣ層のメッセージである。UECapabilityEnquiryメッセージは、能力情報（UECapabilityInformation）の伝送を要求するために用いられる。端末装置１は、UECapabilityEnquiryメッセージを受信した場合、能力情報（UECapabilityInformation）を、基地局装置３に送信する（Ｓ１６１）。
【０１２８】
基地局装置３は、受信した能力情報（UECapabilityInformation）に応じて、端末装置１に対するキャリアアグリゲーション、ＰＤＳＣＨ送信に関する送信モード、および／または、ＰＤＳＣＨ送信に関するＭＩＭＯの設定を決定する（Ｓ１６２）。基地局装置３は、RRCConnectionReconfigurationメッセージを、端末装置１に送信する（Ｓ１６３）。RRCConnectionReconfigurationメッセージは、Ｓ１６１において決定された設定のためのＲＲＣ層の情報を伝送する。RRCConnectionReconfigurationメッセージは、ＲＲＣコネクションの修正するためのコマンドである。RRCConnectionReconfigurationメッセージは、パラメータLayersCount-v10xxを含んでもよい。
【０１２９】
端末装置１は、受信したRRCConnectionReconfigurationメッセージに応じて、ＲＲＣコネクションを修正／再設定する。すなわち、端末装置１は、受信したRRCConnectionReconfigurationメッセージに応じて、キャリアアグリゲーション、ＰＤＳＣＨ送信に関する送信モード、および／または、ＰＤＳＣＨ送信に関するＭＩＭＯを修正／再設定する。端末装置１は、受信したRRCConnectionReconfigurationメッセージに応じてＲＲＣコネクションを修正した後に、RRCConnectionReconfigurationCompleteメッセージを、基地局装置３に送信する。RRCConnectionReconfigurationCompleteメッセージは、ＲＲＣ層のメッセージである。RRCConnectionReconfigurationCompleteメッセージは、ＲＲＣコネクション再設定の正常終了（successful completion）の確認のために用いられる。
【０１３０】
端末装置１、および、基地局装置３は、Ｓ１６２において決定された設定、および／または、能力情報（UECapabilityInformation）に基づいて、ＲＩのビット幅を特定する（Ｓ１６５）。端末装置１は、Ｓ１６５において決定されたビット幅のＲＩを、ＰＵＣＣＨまたはＰＵＳＣＨで、基地局装置３に送信する。基地局装置３は、Ｓ１６５において決定されたビット幅のＲＩを想定することによって、ＲＩの受信処理（多重分離、復調、および／または、復号）を行う。
【０１３１】
ＲＩのビット幅は、対応する下りリンクコンポーネントキャリア（セル）毎に与えられる。異なる下りリンクコンポーネントキャリアに対応するＲＩのビット幅は異なってもよい。対応する下りリンクコンポーネントキャリアにおける下りリンク（ＰＤＳＣＨ）のレイヤーの最大数が２である場合、ＲＩのビット幅は「１」である。対応する下りリンクコンポーネントキャリアにおける下りリンク（ＰＤＳＣＨ）のレイヤーの最大数が４である場合、ＲＩのビット幅は「２」である。対応する下りリンクコンポーネントキャリアにおける下りリンク（ＰＤＳＣＨ）のレイヤーの最大数が８である場合、ＲＩのビット幅は「３」である。
【０１３２】
端末装置１、および、基地局装置３は、Ｓ１６２において決定された設定、および／または、能力情報（UECapabilityInformation）に基づいて、ＰＤＳＣＨで送信されるトランスポートブロック（コードワード）のコードブロックに対するソフトバッファサイズ、および、該コードブロックに対するレートマッチングを特定する（Ｓ１６７）。
【０１３３】
基地局装置３は、Ｓ１６７において特定されたトランスポートブロックのコードブロックに対するレートマッチングに応じて、トランスポートブロックを符号化し、且つ、符号化されたトランスポートブロックを、ＰＤＳＣＨで端末装置１に送信する（Ｓ１６８）。端末装置１は、Ｓ１６７において特定されたトランスポートブロックのコードブロックに対するレートマッチングに応じて、該トランスポートブロックの受信処理（復号）を行う。
【０１３４】
端末装置１は、トランスポートブロックのコードブロックの復号に失敗した場合、該コードブロックのソフトチャネルビットの一部、または、全部をストアする（Ｓ１６９）。該コードブロックのソフトチャネルビットのうちの何れがストアされるかは、Ｓ１６７において特定されたトランスポートブロックのコードブロックに対するソフトバッファサイズを参照することによって与えられる。ストアされたソフトチャネルビットは、該コードブロックに対するＨＡＲＱプロセッシングのために利用される。ストアされたソフトチャネルビットは、再送されたソフトチャネルビットと合成されてもよい。
【０１３５】
以下、図１６のステップＳ１６５におけるＲＩに対するビット幅の特定方法に関する第１の例について説明する。第１の例は端末装置１に対して適用される。
【０１３６】
（１−１）第１の例において、端末装置１は、第１のバンドコンビネーションにおける第１のバンドの第１のバンド幅クラスに対応する第１の下りリンクコンポーネントキャリアにおけるＰＤＳＣＨ（Physical Downlink Shared CHannel）送信に対応し、および、有効なレイヤー（useful layers）の数に対応するＲＩ（Rank Indicator）であって、端末装置によって決定される前記ＲＩを送信する送信部１０７と、前記ＰＤＳＣＨを受信する受信部１０５と、を備える。ここで、前記送信部１０７は、第１の情報（ue-Category (without suffix)）、第２の情報（ca-BandwidthClassDL-r10）、第３の情報（supportedMIMO-CapabilityDL-r10）、
および／または、第４の情報（supportedMIMO-CapabilityDL-v10xx）を含む能力情報（UECapabilityInformation）を送信する。ここで、前記受信部１０５は、前記第１のバンドコンビネーションにおける前記第１のバンドの前記第１のバンド幅クラスに対応する前記第１の下りリンクコンポーネントキャリアに対する第５の情報（LayersCount-v10xx）を受信する。ここで、前記第１の情報（ue-Category (without suffix)）は、下りリンクにおいて前記端末装置によってサポートされる前記レイヤーの第１の最大数に対応するＵＥカテゴリーを示す。ここで、前記第２の情報（ca-BandwidthClassDL-r10）は、前記第１のバンドコンビネーションにおける前記第１のバンドに対する前記第１のバンド幅クラスであって、前記端末装置によってサポートされる下りリンクコンポーネントキャリアの数に対応する前記第１のバンド幅クラスを示す。ここで、前記第３の情報（supportedMIMO-CapabilityDL-r10）は、前記第１のバンドコンビネーションにおける前記第１のバンドの前記第１のバンド幅クラスに対応する１つまたは複数の下りリンクコンポーネントキャリアの全てに適用され、且つ、下りリンクにおいて前記端末装置によってサポートされる前記レイヤーの第２の最大数を示す。ここで、前記第４の情報（supportedMIMO-CapabilityDL-v10xx）は、前記第１のバンドコンビネーションにおける前記第１のバンドの前記第１のバンド幅クラスに対応する前記１つまたは複数の下りリンクコンポーネントキャリアの何れか１つに適用され、且つ、前記下りリンクにおいて前記端末装置によってサポートされる前記レイヤーの第３の最大数を示す。ここで、前記第５の情報（LayersCount-v10xx）は、前記レイヤーの第４の最大数を示す。ここで、前記ＲＩのためのビット幅の決定のために想定される前記レイヤーの第５の最大数は、前記第１のバンドコンビネーションにおける前記第１のバンドの前記第１のバンド幅クラスに対応する前記第１の下りリンクコンポーネントキャリアに対する前記第５の情報が設定されているかどうかに基づいて、前記第１の情報に対応する前記レイヤーの第１の最大数、前記第３の情報によって示される前記レイヤーの第２の最大数、および、前記第５の情報によって示される前記レイヤーの第４の最大数のうちの何れか１つを参照することによって与えられる。ここで、前記レイヤーの第５の最大数を参照することによって、前記ＲＩのためのビット幅は与えられる。
【０１３７】
（１−２）第１の例において、前記第１のバンドコンビネーションにおける前記第１のバンドの前記第１のバンド幅クラスに対応する前記第１の下りリンクコンポーネントキャリアに対する前記第５の情報（LayersCount-v10xx）が設定されていない場合、前記ＲＩのためのビット幅の決定のために想定される前記レイヤーの第５の最大数は、前記レイヤーの第１の最大数、および、前記レイヤーの第２の最大数のうちの何れか１つを参照することによって与えられる。ここで、前記第１のバンドコンビネーションにおける前記第１のバンドの前記第１のバンド幅クラスに対応する前記第１の下りリンクコンポーネントキャリアに対する前記第５の情報（LayersCount-v10xx）が設定されている場合、前記ＲＩのためのビット幅の決定のために想定される前記レイヤーの第５の最大数は、前記レイヤーの第４の最大数を参照することによって与えられる。
【０１３８】
（１−３）第１の例において、前記第１のバンドコンビネーションにおける前記第１のバンドの前記第１のバンド幅クラスに対応する前記第１の下りリンクコンポーネントキャリアに対する前記第５の情報（LayersCount-v10xx）が設定されている、且つ、前記第１の下りリンクコンポーネントキャリアに対して前記ＰＤＳＣＨ送信に関する第１の送信モード（例えば、送信モード９）が設定されている場合、前記ＲＩのためのビット幅の決定のために想定される前記レイヤーの第５の最大数は、(i)設定された第１のポートの数、および、(ii)前記レイヤーの第３の最大数のうちの最小のものに応じて決定される。ここで、前記第１のポートは、ＣＳＩ−ＲＳ（Chanel State Information-Reference Signal）ための送信アンテナポートである。
【０１３９】
（１−４）第１の例において、前記第１のバンドコンビネーションにおける前記第１のバンドの前記第１のバンド幅クラスに対応する前記第１の下りリンクコンポーネントキャリアに対する前記第５の情報（LayersCount-v10xx）が設定されている、且つ、前記第１の下りリンクコンポーネントキャリアに対して前記ＰＤＳＣＨ送信に関する第２の送信モード（例えば、送信モード４）が設定されている場合、前記ＲＩのためのビット幅の決定のために想定される前記レイヤーの第５の最大数は、(i)第２のポートの数、および、(ii)前記レイヤーの第３の最大数のうちの最小のものに応じて決定される。ここで、前記第２のポートは、ＰＢＣＨ（Physical Broadcast CHannel）のための送信アンテナポートである。すなわち、前記第１のバンドコンビネーションにおける前記第１のバンドの前記第１のバンド幅クラスに対応する前記第１の下りリンクコンポーネントキャリアに対する前記第５の情報が設定されている、且つ、前記第１の下りリンクコンポーネントキャリアに対して前記ＰＤＳＣＨ送信に関する第２の送信モードが設定されている場合、前記ＲＩのためのビット幅の決定のために想定される前記レイヤーの第５の最大数は、少なくとも前記第５の情報よって示される前記レイヤーの第３の最大数に応じて決定される。
【０１４０】
（１−５）第１の例において、前記第１のバンドコンビネーションにおける前記第１のバンドの前記第１のバンド幅クラスに対応する前記第１の下りリンクコンポーネントキャリアに対する前記第５の情報（LayersCount-v10xx）が設定されていない、且つ、前記第１の下りリンクコンポーネントキャリアに対して前記ＰＤＳＣＨ送信に関する第１の送信モード（例えば、送信モード９）が設定されている、且つ、前記能力情報（UECapabilityInformation）に前記第３の情報（supportedMIMO-CapabilityDL-r10）が含まれている場合、前記ＲＩのためのビット幅の決定のために想定される前記レイヤーの第５の最大数は、(i)設定された第１のポートの数、および、(ii)前記第３の情報によって示される前記レイヤーの第２の最大数のうちの最小のものに応じて決定される。ここで、前記第１のポートは、ＣＳＩ−ＲＳ（Chanel State Information-Reference Signal）ための送信アンテナポートである。
【０１４１】
（１−６）第１の例において、前記第１のバンドコンビネーションにおける前記第１のバンドの前記第１のバンド幅クラスに対応する前記第１の下りリンクコンポーネントキャリアに対する前記第５の情報（LayersCount-v10xx）が設定されていない、且つ、前記第１の下りリンクコンポーネントキャリアに対して前記ＰＤＳＣＨ送信に関する第１の送信モード（例えば、送信モード９）が設定されている、且つ、前記能力情報（UECapabilityInformation）に前記第３の情報（supportedMIMO-CapabilityDL-r10）が含まれていない場合、前記ＲＩのためのビット幅の決定のために想定される前記レイヤーの第５の最大数は、(i)設定された第１のポートの数、および、(ii)前記第１の情報に対応する前記レイヤーの第１の最大数のうちの最小のものに応じて決定される。ここで、前記第１のポートは、ＣＳＩ−ＲＳ（Chanel State Information-Reference Signal）ための送信アンテナポートである。
【０１４２】
（１−７）第１の例において、前記第１のバンドコンビネーションにおける前記第１のバンドの前記第１のバンド幅クラスに対応する前記第１の下りリンクコンポーネントキャリアに対する前記第５の情報（LayersCount-v10xx）が設定されていない、且つ、前記第１の下りリンクコンポーネントキャリアに対して前記ＰＤＳＣＨ送信に関する第２の送信モード（例えば、送信モード４）が設定されている場合、前記ＲＩのためのビット幅の決定のために想定される前記レイヤーの第５の最大数は、(i)第２のポートの数、および、(ii)前記第１の情報に対応する前記レイヤーの第１の最大数のうちの最小のものに応じて決定される。ここで、前記第２のポートは、ＰＢＣＨ（Physical Broadcast CHannel）のための送信アンテナポートである。
【０１４３】
（１−８）第１の例において、前記送信部１０７は、前記ＲＩを、ＰＵＳＣＨ（Physical Uplink Shared CHannel）で送信する。
【０１４４】
以下、図１６のステップＳ１６５におけるＲＩに対するビット幅の特定方法に関する第２の例について説明する。第２の例は基地局装置３に対して適用される。
【０１４５】
（２−１）第２の例において、基地局装置３は、第１のバンドコンビネーションにおける第１のバンドの第１のバンド幅クラスに対応する第１の下りリンクコンポーネントキャリアにおけるＰＤＳＣＨ（Physical Downlink Shared CHannel）送信に対応し、および、有効なレイヤー（useful layers）の数に対応するＲＩ（Rank Indicator）であって、端末装置によって決定される前記ＲＩを、前記端末装置から受信する受信部３０５と、前記ＰＤＳＣＨを、前記端末装置に送信する送信部３０７と、を備える。ここで、前記受信部３０５は、第１の情報（ue-Category (without suffix)）、第２の情報（ca-BandwidthClassDL-r10）、第３の情報（supportedMIMO-CapabilityDL-r10）、および／または、第４の情報（supportedMIMO-CapabilityDL-v10xx）を含む能力情報（UECapabilityInformation）を、前記端末装置から受信する。ここで、前記送信部３０７は、前記第１のバンドコンビネーションにおける前記第１のバンドの前記第１のバンド幅クラスに対応する前記第１の下りリンクコンポーネントキャリアに対する第５の情報（LayersCount-v10xx）を、前記端末装置に送信する。ここで、前記第１の情報（ue-Category (without suffix)）は、下りリンクにおいて前記端末装置によってサポートされる前記レイヤーの第１の最大数に対応するＵＥカテゴリーを示す。ここで、前記第２の情報（ca-BandwidthClassDL-r10）は、前記第１のバンドコンビネーションにおける前記第１のバンドに対する前記第１のバンド幅クラスであって、前記端末装置によってサポートされる下りリンクコンポーネントキャリアの数に対応する前記第１のバンド幅クラスを示す。ここで、前記第３の情報（supportedMIMO-CapabilityDL-r10）は、前記第１のバンドコンビネーションにおける前記第１のバンドの前記第１のバンド幅クラスに対応する１つまたは複数の下りリンクコンポーネントキャリアの全てに適用され、且つ、下りリンクにおいて前記端末装置によってサポートされる前記レイヤーの第２の最大数を示す。ここで、前記第４の情報（supportedMIMO-CapabilityDL-v10xx）は、前記第１のバンドコンビネーションにおける前記第１のバンドの前記第１のバンド幅クラスに対応する前記１つまたは複数の下りリンクコンポーネントキャリアの何れか１つに適用され、且つ、前記下りリンクにおいて前記端末装置によってサポートされる前記レイヤーの第３の最大数を示す。ここで、前記第５の情報（LayersCount-v10xx）は、前記レイヤーの第４の最大数を示す。前記ＲＩのためのビット幅の決定のために想定される前記レイヤーの第５の最大数は、前記第１のバンドコンビネーションにおける前記第１のバンドの前記第１のバンド幅クラスに対応する前記第１の下りリンクコンポーネントキャリアに対する前記第５の情報（LayersCount-v10xx）が前記端末装置に対して設定されているかどうかに基づいて、前記第１の情報に対応する前記レイヤーの第１の最大数、前記第３の情報によって示される前記レイヤーの第２の最大数、および、前記第５の情報によって示される前記レイヤーの第４の最大数のうちの何れか１つを参照することによって与えられる。
【０１４６】
（２−２）第２の例において、前記第１のバンドコンビネーションにおける前記第１のバンドの前記第１のバンド幅クラスに対応する前記第１の下りリンクコンポーネントキャリアに対する前記第５の情報（LayersCount-v10xx）が前記端末装置に対して設定されていない場合、前記ＲＩのためのビット幅の決定のために想定される前記レイヤーの第５の最大数は、前記レイヤーの第１の最大数、および、前記レイヤーの第２の最大数のうちの何れか１つを参照することによって与えられる。ここで、前記第１のバンドコンビネーションにおける前記第１のバンドの前記第１のバンド幅クラスに対応する前記第１の下りリンクコンポーネントキャリアに対する前記第５の情報（LayersCount-v10xx）が前記端末装置に対して設定されている場合、前記ＲＩのためのビット幅の決定のために想定される前記レイヤーの第５の最大数は、前記レイヤーの第４の最大数を参照することによって与えられる。
【０１４７】
（２−３）第２の例において、前記第１のバンドコンビネーションにおける前記第１のバンドの前記第１のバンド幅クラスに対応する前記第１の下りリンクコンポーネントキャリアに対する前記第５の情報（LayersCount-v10xx）が前記端末装置に対して設定されている、且つ、前記第１の下りリンクコンポーネントキャリアに対して前記ＰＤＳＣＨ送信に関する第１の送信モード（例えば、送信モード９）が前記端末装置に対して設定されている場合、前記ＲＩのためのビット幅の決定のために想定される前記レイヤーの第５の最大数は、(i)設定された第１のポートの数、および、(ii)前記レイヤーの第３の最大数のうちの最小のものに応じて決定される、ここで、前記第１のポートは、ＣＳＩ−ＲＳ（Chanel State Information-Reference Signal）ための送信アンテナポートである。
【０１４８】
（２−４）第２の例において、前記第１のバンドコンビネーションにおける前記第１のバンドの前記第１のバンド幅クラスに対応する前記第１の下りリンクコンポーネントキャリアに対する前記第５の情報（LayersCount-v10xx）が前記端末装置に対して設定されている、且つ、前記第１の下りリンクコンポーネントキャリアに対して前記ＰＤＳＣＨ送信に関する第２の送信モード（例えば、送信モード４）が前記端末装置に対して設定されている場合、前記ＲＩのためのビット幅の決定のために想定される前記レイヤーの第５の最大数は、(i)第２のポートの数、および、(ii)前記レイヤーの第３の最大数のうちの最小のものに応じて決定される。ここで、前記第２のポートは、ＰＢＣＨ（Physical Broadcast CHannel）のための送信アンテナポートである。すなわち、前記第１のバンドコンビネーションにおける前記第１のバンドの前記第１のバンド幅クラスに対応する前記第１の下りリンクコンポーネントキャリアに対する前記第５の情報が設定されている、且つ、前記第１の下りリンクコンポーネントキャリアに対して前記ＰＤＳＣＨ送信に関する第２の送信モードが設定されている場合、前記ＲＩのためのビット幅の決定のために想定される前記レイヤーの第５の最大数は、少なくとも前記第５の情報よって示される前記レイヤーの第３の最大数に応じて決定される。
【０１４９】
（２−５）第２の例において、前記第１のバンドコンビネーションにおける前記第１のバンドの前記第１のバンド幅クラスに対応する前記第１の下りリンクコンポーネントキャリアに対する前記第５の情報（LayersCount-v10xx）が前記端末装置に対して設定されていない、且つ、前記第１の下りリンクコンポーネントキャリアに対して前記ＰＤＳＣＨ送信に関する第１の送信モード（例えば、送信モード９）が前記端末装置に対して設定されている、且つ、前記能力情報（UECapabilityInformation）に前記第３の情報（supportedMIMO-CapabilityDL-r10）が含まれている場合、前記ＲＩのためのビット幅の決定のために想定される前記レイヤーの第５の最大数は、(i)設定された第１のポートの数、および、(ii)前記第３の情報によって示される前記レイヤーの第２の最大数のうちの最小のものに応じて決定される。ここで、前記第１のポートは、ＣＳＩ−ＲＳ（Chanel State Information-Reference Signal）ための送信アンテナポートである。
【０１５０】
（２−６）第２の例において、前記第１のバンドコンビネーションにおける前記第１のバンドの前記第１のバンド幅クラスに対応する前記第１の下りリンクコンポーネントキャリアに対する前記第５の情報（LayersCount-v10xx）が前記端末装置に対して設定されていない、且つ、前記第１の下りリンクコンポーネントキャリアに対して前記ＰＤＳＣＨ送信に関する第１の送信モード（例えば、送信モード９）が前記端末装置に対して設定されている、且つ、前記能力情報（UECapabilityInformation）に前記第３の情報（supportedMIMO-CapabilityDL-r10）が含まれていない場合、前記ＲＩのためのビット幅の決定のために想定される前記レイヤーの第５の最大数は、(i)設定された第１のポートの数、および、(ii)前記第１の情報に対応する前記レイヤーの第１の最大数のうちの最小のものに応じて決定される。ここで、前記第１のポートは、ＣＳＩ−ＲＳ（Chanel State Information-Reference Signal）ための送信アンテナポートである。
【０１５１】
（２−７）第２の例において、前記第１のバンドコンビネーションにおける前記第１のバンドの前記第１のバンド幅クラスに対応する前記第１の下りリンクコンポーネントキャリアに対する前記第５の情報（LayersCount-v10xx）が前記端末装置に対して設定されていない、且つ、前記第１の下りリンクコンポーネントキャリアに対して前記ＰＤＳＣＨ送信に関する第２の送信モード（例えば、送信モード４）が前記端末装置に対して設定されている場合、前記ＲＩのためのビット幅の決定のために想定される前記レイヤーの第５の最大数は、(i)第２のポートの数、および、(ii)前記第１の情報に対応する前記レイヤーの第１の最大数のうちの最小のものに応じて決定される。ここで、前記第２のポートは、ＰＢＣＨ（Physical Broadcast CHannel）のための送信アンテナポートである。
【０１５２】
（２−８）第２の例において、前記受信部３０５は、前記ＲＩを、ＰＵＳＣＨ（Physical Uplink Shared CHannel）で受信する。
【０１５３】
以下、図１６のステップＳ１６５におけるＲＩに対するビット幅の特定方法に関する第３の例について説明する。第３の例は端末装置１に対して適用される。第３の例において、能力情報（UECapabilityInformation）に第３の情報（supportedMIMO-CapabilityDL-r10）を含む。第３の例において、能力情報（UECapabilityInformation）は、第４の情報（supportedMIMO-CapabilityDL-v10xx）を含まなくてもよい。
【０１５４】
（３−１）第３の例において、端末装置１は、第１のバンドコンビネーションにおける第１のバンドに対応する下りリンクコンポーネントキャリアにおけるＰＤＳＣＨ（Physical Downlink Shared CHannel）送信に対応し、および、レイヤーの数に対応するＲＩ（Rank Indicator）であって、端末装置によって決定される前記ＲＩを送信する送信部１０７と、前記ＰＤＳＣＨを受信する受信部１０５と、を備える。ここで、前記ＲＩのためのビット幅の決定のために想定される前記レイヤーの第１の最大数は、前記第１のバンドコンビネーションにおける前記第１のバンドにおいて設定される下りリンクコンポーネントキャリアの数に基づく。
【０１５５】
（３−２）第３の例において、前記第１のバンドコンビネーションは、前記第１のバンドのみを含む。
【０１５６】
（３−３）第３の例において、前記端末装置は、前記ＰＤＳＣＨ送信に関する送信モード９または１０が設定されている。
【０１５７】
（３−４）第３の例において、前記送信部１０７は、第１の情報（ca-BandwidthClassDL-r10）、第２の情報（supportedMIMO-CapabilityDL-r10）、第３の情報（ca-BandwidthClassDL-r10）、および、第４の情報（supportedMIMO-CapabilityDL-r10）を含む能力情報（UECapabilityInformation）を送信する。ここで、前記第１の情報（ca-BandwidthClassDL-r10）は、前記第１のバンドコンビネーションにおける前記第１のバンドの第１のバンド幅クラスであって、前記端末装置によってサポートされる下りリンクコンポーネントキャリアの第１の数を示す前記第１のバンド幅クラスを示す。ここで、前記第２の情報（supportedMIMO-CapabilityDL-r10）は、前記第１のバンドコンビネーションにおける前記第１のバンドの前記第１のバンド幅クラスに対応する前記第１の数の下りリンクコンポーネントキャリアの全てに適用され、且つ、下りリンクにおいて前記端末装置によってサポートされる前記レイヤーの第１の最大数を示す。ここで、前記第３の情報（ca-BandwidthClassDL-r10）は、前記第１のバンドコンビネーションにおける前記第１のバンドの第２のバンド幅クラスであって、前記端末装置によってサポートされる下りリンクコンポーネントキャリアの第２の数を示す前記第２のバンド幅クラスを示す。ここで、前記第４の情報（supportedMIMO-CapabilityDL-r10）は、前記第１のバンドコンビネーションにおける前記第１のバンドの前記第２のバンド幅クラスに対応する前記第２の数の下りリンクコンポーネントキャリアの全てに適用され、且つ、下りリンクにおいて前記端末装置によってサポートされる前記レイヤーの第２の最大数を示す。ここで、前記ＲＩのためのビット幅の決定のために想定される前記レイヤーの第３の最大数は、前記第１のバンドコンビネーションにおける前記第１のバンドにおいて設定される下りリンクコンポーネントキャリアの数が前記第１の数および前記第２の数の何れであるかに基づいて、前記レイヤーの第１の最大数、および、前記レイヤーの第２の最大数のうちの何れか１つを参照することによって与えられる。
【０１５８】
（３−５）第３の例において、前記送信部１０７は、前記ＲＩを、ＰＵＳＣＨ（Physical Uplink Shared CHannel）で送信する。
【０１５９】
（３−６）第３の例において、前記第１のバンドコンビネーションにおける前記第１のバンドにおいて設定される下りリンクコンポーネントキャリアの数が前記第１の数である場合、前記ＲＩのためのビット幅の決定のために想定される前記レイヤーの第３の最大数は、前記レイヤーの第１の最大数である。ここで、前記第１のバンドコンビネーションにおける前記第１のバンドにおいて設定される下りリンクコンポーネントキャリアの数が前記第２の数である場合、前記ＲＩのためのビット幅の決定のために想定される前記レイヤーの第３の最大数は、前記レイヤーの第２の最大数である。
【０１６０】
以下、図１６のステップＳ１６５におけるＲＩに対するビット幅の特定方法に関する第４の例について説明する。第４の例は基地局装置３に対して適用される。第４の例において、能力情報（UECapabilityInformation）に第３の情報（supportedMIMO-CapabilityDL-r10）を含む。第４の例において、能力情報（UECapabilityInformation）は、第４の情報（supportedMIMO-CapabilityDL-v10xx）を含まなくてもよい。
【０１６１】
（４−１）第４の例において、基地局装置３は、第１のバンドコンビネーションにおける第１のバンドに対応する下りリンクコンポーネントキャリアにおけるＰＤＳＣＨ（Physical Downlink Shared CHannel）送信に対応し、および、レイヤーの数に対応するＲＩ（Rank Indicator）であって、端末装置によって決定される前記ＲＩを、前記端末装置から受信する受信部３０５と、前記ＰＤＳＣＨを、前記端末装置に送信する送信部３０７と、を備える。ここで、前記ＲＩのためのビット幅の決定のために想定される前記レイヤーの第１の最大数は、前記端末装置が前記第１のバンドコンビネーションにおける前記第１のバンドにおいて設定される下りリンクコンポーネントキャリアの数に基づく。
【０１６２】
（４−２）第４の例において、前記第１のバンドコンビネーションは、前記第１のバンドのみを含む。
【０１６３】
（４−３）第４の例において、前記端末装置は、前記ＰＤＳＣＨ送信に関する送信モード９または１０が設定されている。
【０１６４】
（４−４）第４の例において、前記受信部３０５は、第１の情報（ca-BandwidthClassDL-r10）、第２の情報（supportedMIMO-CapabilityDL-r10）、第３の情報（ca-BandwidthClassDL-r10）、および、第４の情報（supportedMIMO-CapabilityDL-r10）を含む能力情報（UECapabilityInformation）を、前記端末装置から受信する。ここで、前記第１の情報（ca-BandwidthClassDL-r10）は、前記第１のバンドコンビネーションにおける前記第１のバンドの第１のバンド幅クラスであって、前記端末装置によってサポートされる下りリンクコンポーネントキャリアの第１の数を示す前記第１のバンド幅クラスを示す。ここで、前記第２の情報（supportedMIMO-CapabilityDL-r10）は、前記第１のバンドコンビネーションにおける前記第１のバンドの前記第１のバンド幅クラスに対応する前記第１の数の下りリンクコンポーネントキャリアの全てに適用され、且つ、下りリンクにおいて前記端末装置によってサポートされる前記レイヤーの第１の最大数を示す。ここで、前記第３の情報（ca-BandwidthClassDL-r10）は、前記第１のバンドコンビネーションにおける前記第１のバンドの第２のバンド幅クラスであって、前記端末装置によってサポートされる下りリンクコンポーネントキャリアの第２の数を示す前記第２のバンド幅クラスを示す。ここで、前記第４の情報（supportedMIMO-CapabilityDL-r10）は、前記第１のバンドコンビネーションにおける前記第１のバンドの前記第２のバンド幅クラスに対応する前記第２の数の下りリンクコンポーネントキャリアの全てに適用され、且つ、下りリンクにおいて前記端末装置によってサポートされる前記レイヤーの第２の最大数を示す。ここで、前記ＲＩのためのビット幅の決定のために想定される前記レイヤーの第３の最大数は、前記第１のバンドコンビネーションにおける前記第１のバンドにおいて設定される下りリンクコンポーネントキャリアの数が前記第１の数および前記第２の数の何れであるかに基づいて、前記レイヤーの第１の最大数、および、前記レイヤーの第２の最大数のうちの何れか１つを参照することによって与えられる。
【０１６５】
（４−５）第４の例において、前記受信部３０５は、前記ＲＩを、ＰＵＳＣＨ（Physical Uplink Shared CHannel）で受信する。
【０１６６】
（４−６）第４の例において、前記第１のバンドコンビネーションにおける前記第１のバンドにおいて設定される下りリンクコンポーネントキャリアの数が前記第１の数である場合、前記ＲＩのためのビット幅の決定のために想定される前記レイヤーの第３の最大数は、前記レイヤーの第１の最大数である。ここで、前記第１のバンドコンビネーションにおける前記第１のバンドにおいて設定される下りリンクコンポーネントキャリアの数が前記第２の数である場合、前記ＲＩのためのビット幅の決定のために想定される前記レイヤーの第３の最大数は、前記レイヤーの第２の最大数である。
【０１６７】
以下、図１６のステップＳ１６７におけるトランスポートブロックのコードブロックに対するレートマッチングの特定方法の一例について説明する。
【０１６８】
図１７は、本実施形態におけるレートマッチングの一例を示す図である。レートマッチングは、図６のＳ６０２において実行される。すなわち、レートマッチングは、トランスポートブロックのコードブロックに対して適用される。
【０１６９】
１つのレートマッチング（Ｓ６０２）は、３つのインタリーブ（Ｓ１７００）、１つのビット収集（collection）（Ｓ１７０１）、１つのビット選択および除去（selection and pruning）（Ｓ２００２）を含む。１つのレートマッチング（Ｓ６０２）には、チャネル符号化（Ｓ６０１）から、３つの情報ビットストリーム（d’k、d’’k、d’’’k）が入力される。３つの情報ビットストリーム（d’k、d’’k、d’’’k）のそれぞれは、インタリーブ（Ｓ１７００）において、サブブロックインタリーバーに応じてインタリーブされる。３つの情報ビットストリーム（d’k、d’’k、d’’’k）のそれぞれをインタリーブすることによって、３つの出力系列（v’k、v’’k、v’’’k）が得られる。
【０１７０】
該サブフレームインタリーバーの列の数Csubblockは３２である。該サブフロックインタリーバーの行の数Rsubblockは、以下の不等式（１）を満たす最も小さい整数である。ここで、Dは情報ビットストリーム（d’k、d’’k、d’’’k）のそれぞれのビットの数である。
【数１】
2017006873.tif 000003
【０１７１】
該サブフレームインタリーバーの出力系列（v’k、v’’k、v’’’k）のそれぞれのビットの数KΠは、以下の数式（２）によって与えられる。
【数２】
2017006873.tif 000004
【０１７２】
ビット収集（Ｓ２００１）において、３つの出力系列（v’k、v’’k、v’’’k）から、wk（virtual circular buffer）が得られる。wkは、以下の数式（３）によって与えられる。wkのビットの数Kwは、KΠの３倍である。
【数３】
2017006873.tif 000005
【０１７３】
図１７のビット選択および除去（Ｓ１７０２）において、wkからレートマッチング出力ビット系列ekが得られる。レートマッチング出力ビット系列ekのビットの数はEである。図１８は、本実施形態のビット選択および除去の一例を示す図である。図１８のrvidxは、対応するトランスポートブロックの送信に対するＲＶ（redundancy version）番号である。該ＲＶ番号は、ＤＣＩフォーマットに含まれる情報によって示される。図１８のNcbは、対応するコードブロックのためのソフトバッファサイズであり、ビットの数によって表現される。Ncbは、以下の数式（４）によって与えられる。
【数４】
2017006873.tif 000006
【０１７４】
ここで、Cは、図６のコードブロックセグメンテーション（Ｓ６００）において、１つのトランスポートブロックが分割されるコードブロックの数である。ここで、NIRは、対応するトランスポートブロックのためのソフトバッファサイズであり、ビットの数によって表現される。NIRは、以下の数式（５）によって与えられる。
【数５】
2017006873.tif 000007
【０１７５】
ここで、端末装置１が、送信モード３、４、８、９、または１０に基づいてＰＤＳＣＨ送信を受信するよう設定されている場合、KMIMOは２であり、且つ、それ以外の場合、KMIMOは１である。KMIMOは、端末装置１が設定されている送信モードに基づいて受信される１つのＰＤＳＣＨ送信が含むことができるトランスポートブロックの最大数と同じである。
【０１７６】
ここで、MDL_HARQは、対応する１つのサービングセルにおいて並行して管理される下りリンクＨＡＲＱプロセスの最大数である。ＦＤＤサービングセルに対して、MDL_HARQは８であってもよい。ＴＤＤサービングセルに対して、MDL_HARQは上りリンク−下りリンク設定に対応してもよい。ここで、Mlimitは８である。
【０１７７】
ここで、Kcは、１、３／２、２、３、および、５のうちの何れか１つである。Kcの設定方法については、Nsoftの設定方法の後で説明する。
【０１７８】
ここで、Nsoftは、ＵＥカテゴリー、または、下りリンクＵＥカテゴリーに応じたソフトチャネルビットの総数である。Nsoftは、能力パラメータue-Category (without suffix)、能力パラメータue-Category-v1020、能力パラメータue-Category-v1170、および、能力パラメータue-CategoryDL-r12のうちの何れか１つによって与えられる。
【０１７９】
Nsoftは、(i)能力パラメータue-Category (without suffix)、能力パラメータue-Category-v1020、能力パラメータue-Category-v1170、および、能力パラメータue-CategoryDL-r12のうちの何れを送信しているか、 (ii)パラメータLayersCount-v10xxが受信／設定されているかどうか、および／または、(iii)パラメータaltCQI-Table-r12が受信／設定されているかどうかに基づいて特定されてもよい。
【０１８０】
端末装置１にパラメータaltCQI-Table-r12が設定されていない場合、端末装置１はＰＤＳＣＨで送信される単一のトランスポートブロックに対する、変調方式と符号化率の組合せとＣＱＩの対応を示す第１の表に基づいてＣＱＩを導き出す。端末装置１にパラメータaltCQI-Table-r12が設定されている場合、端末装置１はＰＤＳＣＨで送信される単一のトランスポートブロックに対する、変調方式と符号化率の組合せとＣＱＩの対応を示す第２の表に基づいてＣＱＩを導き出す。第１の表は、ＰＤＳＣＨに２５６ＱＡＭが適用されないことを想定して設計される表であってもよい。第２の表は、ＰＤＳＣＨに２５６ＱＡＭが適用されることを想定して設計される表であってもよい。
【０１８１】
図１９は、本実施形態におけるソフトチャネルビットの総数Nsoftの決定に関するフローチャートの一例を示す図である。図１９のフローは、下りリンクコンポーネントキャリア（セル）のそれぞれに対して適用されてもよい。第１の条件を満たす場合、第１の処理を行う。第１の条件を満たさない場合、第２の条件に進む。第２の条件を満たす場合、第２の処理を行う。第２の条件を満たさない場合、第３の条件に進む。第３の条件を満たす場合、第３の処理を行う。第３の条件を満たさない場合、第４の処理を行う。第１の処理、第２の処理、第３の処理、または、第４の処理の後、ソフトチャネルビットの総数Nsoftの決定に関するフローを終了する。
【０１８２】
図１９の第１の条件において、(i)端末装置１が下りリンクＵＥカテゴリー０を示す能力パラメータue-CategoryDL-r12をシグナルしているならば、または、(ii)端末装置１が下りリンクＵＥカテゴリー０を示さない能力パラメータue-CategoryDL-r12をシグナルし、且つ、端末装置１が上位層によって下りリンクコンポーネントキャリア（セル）に対するパラメータaltCQI-Table-r12が設定されているならば（ＹＥＳ）、Nsoftは能力パラメータue-CategoryDL-r12によって示される下りリンクＵＥカテゴリーに応じたソフトチャネルビットの総数である（第１の処理）。
【０１８３】
図１９の第２の条件において、端末装置１が能力パラメータue-Category-v11a0をシグナルし、且つ、端末装置１が上位層によって下りリンクコンポーネントキャリア（セル）に対するパラメータaltCQI-Table-r12が設定されているならば（ＹＥＳ）、Nsoftは能力パラメータue-Category-v11a0によって示されるＵＥカテゴリーに応じたソフトチャネルビットの総数である（第２の処理）。
【０１８４】
図１９の第３の条件において、端末装置１が能力パラメータue-Category-v1020をシグナルし、且つ、端末装置１が下りリンクコンポーネントキャリア（セル）に対する第１の送信モード（例えば、送信モード９、または、送信モード１０）が設定されているならば（ＹＥＳ）、Nsoftは能力パラメータue-Category-v1020によって示されるＵＥカテゴリーに応じたソフトチャネルビットの総数である（第３の処理）。ここで、端末装置１は、能力パラメータue-Category-v1170をシグナルしていてもよいし、していなくてもよい。
【０１８５】
図１９の第３の条件において、端末装置１が能力パラメータue-Category-v1020をシグナルし、且つ、端末装置１が上位層によって下りリンクコンポーネントキャリア（セル）に対するパラメータLayersCount-v10xxが設定されているならば（ＹＥＳ）、Nsoftは能力パラメータue-Category-v1020によって示されるＵＥカテゴリーに応じたソフトチャネルビットの総数である（第１の処理）。ここで、端末装置１は、該第１の送信モード以外の送信モードが設定されていてもよい。ここで、端末装置１は、能力パラメータue-Category-v1170をシグナルしていてもよいし、していなくてもよい。
【０１８６】
図１９の第１の条件、第２の条件、および、第３の条件を満たさない場合、Nsoftは能力パラメータue-Category (without suffix)によって示されるＵＥカテゴリーに応じたソフトチャネルビットの総数である（第４の処理）。例えば、端末装置１が、能力パラメータue-Category-v11a0、能力パラメータue-Category-v1120、能力パラメータue-Category-v1020、および、能力パラメータue-Category (without suffix)をシグナルし、且つ、端末装置１が上位層によって下りリンクコンポーネントキャリア（セル）に対するパラメータaltCQI-Table-r12が設定されていない、且つ、端末装置１が上位層によって下りリンクコンポーネントキャリア（セル）に対するパラメータLayersCount-v10xxが設定されていない、且つ、端末装置１に第１の送信モード以外の送信モードが設定されているならば、Nsoftは能力パラメータue-Category (without suffix)によって示されるＵＥカテゴリーに応じたソフトチャネルビットの総数である。また、例えば、端末装置１が、能力パラメータue-Category-v1120、能力パラメータue-Category-v1020、および、能力パラメータue-Category (without suffix)をシグナルし、且つ、端末装置１が上位層によって下りリンクコンポーネントキャリア（セル）に対するパラメータLayersCount-v10xxが設定されていない、且つ、端末装置１に第１の送信モード以外の送信モードが設定されているならば、Nsoftは能力パラメータue-Category (without suffix)によって示されるＵＥカテゴリーに応じたソフトチャネルビットの総数である。
【０１８７】
図２０は、本実施形態におけるKcの設定方法の一例を示す図である。Kcは、(i)図１９において特定されるNsoft、(ii)端末装置１が上位層によって下りリンクコンポーネントキャリア（セル）に対するパラメータaltCQI-Table-r12が設定されているかどうか、および／または、(iii)下りリンクコンポーネントキャリア（セル）に対するレイヤーの最大数に基づいて与えられる。ここで、該レイヤーの最大数は、(i)下りリンクコンポーネントキャリア（セル）に対して、端末装置１が設定された送信モードに対応するＰＤＳＣＨ送信方式によってサポートされるレイヤーの数、および／または、(ii)図１６のＳ１６５において、ＲＩに対するビット幅を特定するために想定されるレイヤーの最大数を参照することによって与えられてもよい。例えば、該レイヤーの最大数は、(i)下りリンクコンポーネントキャリア（セル）に対して、端末装置１が設定された送信モードに対応するＰＤＳＣＨ送信方式によってサポートされるレイヤーの数、および、(ii)図１６のＳ１６５において、ＲＩに対するビット幅を特定するために想定されるレイヤーの最大数のうちの小さいほうに応じて与えられてもよい。
【０１８８】
すなわち、対応するコードブロックのためのソフトバッファサイズNcb、および、対応するコードブロックに対するレートマッチングは、以下の(i)から(v)の一部、または、全部を参照することによって与えられてもよい。
(i)能力パラメータue-Category (without suffix)、能力パラメータue-Category-v1020、能力パラメータue-Category-v1170、および、能力パラメータue-CategoryDL-r12のうちの何れを送信しているか
(ii)下りリンクコンポーネントキャリアに対するパラメータLayersCount-v10xxが受信／
設定されているかどうか
(iii) 下りリンクコンポーネントキャリアに対するパラメータaltCQI-Table-r12が受信／設定されているかどうか
(iv)下りリンクコンポーネントキャリアに対して端末装置１が設定された送信モードに対応するＰＤＳＣＨ送信方式によってサポートされるレイヤーの数
(v)ＲＩに対するビット幅を特定するために想定されるレイヤーの最大数
【０１８９】
以下、図１６のステップＳ１６７におけるトランスポートブロックのコードブロックサイズに対するレートマッチングの特定方法に関する第５の例について説明する。第５の例は端末装置１に対して適用される。
【０１９０】
（５−１）第５の例において、端末装置１は、ＰＤＳＣＨ（Physical Downlink Shared CHannel）送信に対するＲＩ（Rank Indicator）を送信する送信部１０７と、前記ＲＩのためのビット幅の決定のために想定する第１の最大数であって、レイヤーの前記第１の最大数の決定のために用いる第１の情報（RRCConnectionReconfigurationメッセージ）を受信し、前記ＰＤＳＣＨでトランスポートブロックを受信する受信部１０５と、前記トランスポートブロックのコードブロックを復号する復号化部１０５１と、を備える。ここで、前記コードブロックに対するレートマッチングは、少なくとも、前記コードブロックに対するソフトバッファサイズに基づく。ここで、前記コードブロックに対するソフトバッファサイズは、少なくとも、前記レイヤーの前記第１の最大数の決定のために用いる前記第１の情報（RRCConnectionReconfigurationメッセージ）に基づく。
【０１９１】
（５−２）第５の例において、前記送信部１０７は、前記ＲＩを、ＰＵＳＣＨ（Physical Uplink Shared CHannel）で送信する。
【０１９２】
（５−３）第５の例において、前記端末装置１は、前記ＰＤＳＣＨ送信に関する所定の送信モードが設定されている。
【０１９３】
（５−４）第５の例において、前記送信部１０７は、第２の情報（ue-Category (without suffix)）、および、第３の情報（ue-Category-v1020）を含む能力情報（UECapabilityInformation）を送信する。ここで、前記第２の情報（ue-Category (without suffix)）は、下りリンクにおいて前記端末装置によってサポートされる前記レイヤーの第２の最大数、および、前記下りリンクにおけるＨＡＲＱ（Hybrid Automatic Repeat reQuest）プロセッシングのために利用可能なソフトチャネルビットの第１の総数に対応する第１のＵＥカテゴリーを示す。ここで、前記第３の情報（ue-Category-v1020）は、前記下りリンクにおいて前記端末装置によってサポートされる前記レイヤーの第３の最大数、および、前記下りリンクにおけるＨＡＲＱ（Hybrid Automatic Repeat reQuest）プロセッシングのために利用可能なソフトチャネルビットの第２の総数に対応する第２のＵＥカテゴリーを示す。ここで、前記コードブロックに対するソフトバッファサイズは、前記レイヤーの前記第１の最大数の決定のために用いる前記第１の情報（RRCConnectionReconfigurationメッセージ）が前記レイヤーの第４の最大数を示すかどうかに基づいて、前記第１の総数、および、前記第２の総数のうちの何れか１つを参照することによって与えられる。すなわち、前記コードブロックに対するソフトバッファサイズは、前記レイヤーの前記第１の最大数の決定のために用いる前記第１の情報が前記レイヤーの第４の最大数を示す値に設定されているかどうかに基づいて、前記第１の総数、および、前記第２の総数のうちの何れか１つを参照することによって与えられる。
【０１９４】
（５−５）第５の例において、前記レイヤーの前記第１の最大数の決定のために用いる前記第１の情報（RRCConnectionReconfigurationメッセージ）が前記レイヤーの前記第４の最大数を示す場合、前記コードブロックに対するソフトバッファサイズは、前記第１の総数を参照することによって与えられる。ここで、前記レイヤーの前記第１の最大数の決定のために用いる前記第１の情報（RRCConnectionReconfigurationメッセージ）が前記レイヤーの前記第４の最大数を示さない場合、前記コードブロックに対するソフトバッファサイズは、前記第２の総数を参照することによって与えられる。ここで、「前記第１の情報（RRCConnectionReconfigurationメッセージ）が前記レイヤーの前記第４の最大数を示さないこと」は、「前記第１の情報（RRCConnectionReconfigurationメッセージ）にパラメータLayersCount-v10xxが含まれないこと」を含む。すなわち、前記レイヤーの前記第１の最大数の決定のために用いる前記第１の情報が前記レイヤーの前記第４の最大数を示す値に設定されている場合、前記コードブロックに対するソフトバッファサイズは、前記第１の総数を参照することによって与えられ、前記レイヤーの前記第１の最大数の決定のために用いる前記第１の情報が前記レイヤーの前記第４の最大数を示す値に設定されていない場合、前記コードブロックに対するソフトバッファサイズは、前記第２の総数を参照することによって与えられる。
【０１９５】
（５−６）第５の例において、前記レイヤーの前記第１の最大数の決定のために用いる前記第１の情報（RRCConnectionReconfigurationメッセージ）が前記レイヤーの前記第４の最大数を示す場合、前記レイヤーの前記第１の最大数は、前記レイヤーの前記第４の最大数を参照することによって与えられる。ここで、「前記第１の情報（RRCConnectionReconfigurationメッセージ）が前記レイヤーの前記第４の最大数を示すこと」は、「前記第１の情報（RRCConnectionReconfigurationメッセージ）に含まれるパラメータLayersCount-v10xxが前記レイヤーの前記第４の最大数を示すこと」を含む。すなわち、前記第１の情報が受信される場合、前記レイヤーの前記第１の最大数は前記第１の情報を参照することによって与えられる。
【０１９６】
（５−７）第５の例において、前記レイヤーの前記第１の最大数の決定のために用いる前記第１の情報（RRCConnectionReconfigurationメッセージ）が前記レイヤーの前記第４の最大数を示さない場合、前記レイヤーの前記第１の最大数は、前記レイヤーの前記第２の最大数、および、前記レイヤーの前記第３の最大数を少なくとも含む前記レイヤーの複数の最大数のうちの何れか１つを参照することによって与えられる。すなわち、前記第１の情報が受信されない場合、前記レイヤーの前記第１の最大数は、前記第２の情報、および、前記第３の情報のうちの何れか一方を参照することによって与えられる。
【０１９７】
以下、図１６のステップＳ１６７におけるトランスポートブロックのコードブロックサイズに対するレートマッチングの特定方法に関する第６の例について説明する。第６の例は基地局装置３に対して適用される。
【０１９８】
（６−１）第６の例において、基地局装置３は、ＰＤＳＣＨ（Physical Downlink Shared CHannel）送信に対するＲＩ（Rank Indicator）を、端末装置から受信する受信部３０５と、前記ＲＩのためのビット幅の決定のために前記端末装置によって想定される、レイヤーの第１の最大数の決定のために前記端末装置によって用いられる第１の情報（RRCConnectionReconfigurationメッセージ）を、前記端末装置に送信し、前記ＰＤＳＣＨでトランスポートブロックを、前記端末装置に送信する送信部３０７と、前記トランスポートブロックのコードブロックを符号化する符号化部３０７１と、を備える。ここで、前記符号化されたコードブロックに対するレートマッチングは、少なくとも、前記コードブロックに対するソフトバッファサイズに基づく。ここで、前記コードブロックに対するソフトバッファサイズは、少なくとも、前記レイヤーの前記第１の最大数の決定のために前記端末装置によって用いられる第１の情報（RRCConnectionReconfigurationメッセージ）に基づく。
【０１９９】
（６−２）第６の例において、前記受信部３０５は、前記ＲＩを、ＰＵＳＣＨ（Physical Uplink Shared CHannel）で、前記端末装置から受信する。
【０２００】
（６−３）第６の例において、前記端末装置１は、前記ＰＤＳＣＨ送信に関する所定の送信モードが設定されている。
【０２０１】
（６−４）第６の例において、前記受信部３０５は、第２の情報（ue-Category (without suffix)）、および、第３の情報（ue-Category-v1020）を含む能力情報（UECapabilityInformation）を、前記端末装置から受信する。ここで、前記第２の情報（ue-Category (without suffix)）は、下りリンクにおいて前記端末装置によってサポートされる前記レイヤーの第２の最大数、および、前記下りリンクにおけるＨＡＲＱ（Hybrid Automatic Repeat reQuest）プロセッシングのために利用可能なソフトチャネルビットの第１の総数に対応する第１のＵＥカテゴリーを示す。ここで、前記第３の情報（ue-Category-v1020）は、前記下りリンクにおいて前記端末装置によってサポートされる前記レイヤーの第３の最大数、および、前記下りリンクにおけるＨＡＲＱ（Hybrid Automatic Repeat reQuest）プロセッシングのために利用可能なソフトチャネルビットの第２の総数に対応する第２のＵＥカテゴリーを示す。ここで、前記コードブロックに対するソフトバッファサイズは、前記レイヤーの前記第１の最大数の決定のために前記端末装置によって用いられる前記第１の情報（RRCConnectionReconfigurationメッセージ）が前記レイヤーの第４の最大数を示すかどうかに基づいて、前記第１の総数、および、前記第２の総数のうちの何れか１つを参照することによって与えられる。すなわち、前記コードブロックに対するソフトバッファサイズは、前記レイヤーの前記第１の最大数の決定のために用いる前記第１の情報が前記レイヤーの第４の最大数を示す値に設定されているかどうかに基づいて、前記第１の総数、および、前記第２の総数のうちの何れか１つを参照することによって与えられる。
【０２０２】
（６−５）第６の例において、前記レイヤーの前記第１の最大数の決定のために前記端末装置によって用いられる前記第１の情報（RRCConnectionReconfigurationメッセージ）が前記レイヤーの前記第４の最大数を示す場合、前記コードブロックに対するソフトバッファサイズは、前記第１の総数を参照することによって与えられる。ここで、前記レイヤーの前記第１の最大数の決定のために前記端末装置によって用いられる前記第１の情報（RRCConnectionReconfigurationメッセージ）が前記レイヤーの前記第４の最大数を示さない場合、前記コードブロックに対するソフトバッファサイズは、前記第２の総数を参照することによって与えられる。ここで、「前記第１の情報（RRCConnectionReconfigurationメッセージ）が前記レイヤーの前記第４の最大数を示さないこと」は、「前記第１の情報（RRCConnectionReconfigurationメッセージ）にパラメータLayersCount-v10xxが含まれないこと」を含む。すなわち、前記レイヤーの前記第１の最大数の決定のために用いる前記第１の情報が前記レイヤーの前記第４の最大数を示す値に設定されている場合、前記コードブロックに対するソフトバッファサイズは、前記第１の総数を参照することによって与えられ、前記レイヤーの前記第１の最大数の決定のために用いる前記第１の情報が前記レイヤーの前記第４の最大数を示す値に設定されていない場合、前記コードブロックに対するソフトバッファサイズは、前記第２の総数を参照することによって与えられる。
【０２０３】
（６−６）第６の例において、前記レイヤーの前記第１の最大数の決定のために前記端末装置によって用いられる前記第１の情報（RRCConnectionReconfigurationメッセージ）が前記レイヤーの前記第４の最大数を示す場合、前記レイヤーの前記第１の最大数は、前記レイヤーの前記第４の最大数を参照することによって与えられる。ここで、「前記第１の情報（RRCConnectionReconfigurationメッセージ）が前記レイヤーの前記第４の最大数を示すこと」は、「前記第１の情報（RRCConnectionReconfigurationメッセージ）に含まれるパラメータLayersCount-v10xxが前記レイヤーの前記第４の最大数を示すこと」を含む。すなわち、前記第１の情報が受信される場合、前記レイヤーの前記第１の最大数は前記第１の情報を参照することによって与えられる。
【０２０４】
（６−７）第６の例において、前記レイヤーの前記第１の最大数の決定のために前記端末装置によって用いられる前記第１の情報（RRCConnectionReconfigurationメッセージ）が前記レイヤーの前記第４の最大数を示さない場合、前記レイヤーの前記第１の最大数は、前記レイヤーの前記第２の最大数、および、前記レイヤーの前記第３の最大数を少なくとも含む前記レイヤーの複数の最大数のうちの何れか１つを参照することによって与えられる。すなわち、前記第１の情報が受信されない場合、前記レイヤーの前記第１の最大数は、前記第２の情報、および、前記第３の情報のうちの何れか一方を参照することによって与えられる。
【０２０５】
図１６のＳ１６９において、端末装置１によってストアされる、トランスポートブロックのコードブロックのソフトチャネルビットは、トランスポートブロックのコードブロックに対するソフトバッファサイズNcbに基づく。端末装置１がトランスポートブロックのコードブロックの復号に失敗した場合、端末装置１は、少なくとも、＜wk, wk+1,…,w (k+nSB-1) mod Ncb＞のレンジに対応し、且つ、受信したソフトチャネルビットをストアする。＜wk, wk+1,…,w (k+nSB-1) mod Ncb＞のkは端末装置１によって決定される。ここで、＜wk, wk+1,…,w (k+nSB-1) mod Ncb＞のkの決定において、端末装置１がkのより低い値に対応するソフトチャネルビットのストアリングを優先することが好ましい。
【０２０６】
図２１は、本実施形態における＜wk, wk+1,…,w (k+nSB-1) mod Ncb＞のレンジの一例
を示す図である。ここで、nSBは、トランスポートブロックのコードブロックに対するソフトバッファサイズNcbを参照することによって与えられる。nSBは、以下の数式（６）によって与えられる。
【数６】
2017006873.tif 000008
【０２０７】
ここで、Cは、数式（４）において定義されている。ここで、KMIMO、MDL_HARQ、および、Mlimitは数式５において定義されている。ここで、NDL_cellsは、端末装置１に対して設定される下りリンクコンポーネントキャリア（セル）の数である。ここで、N’softは、ＵＥカテゴリー、または、下りリンクＵＥカテゴリーに応じたソフトチャネルビットの総数である。N’softは、能力パラメータue-Category (without suffix)、能力パラメータue-Category-v1020、能力パラメータue-Category-v1170、および、能力パラメータue-CategoryDL-r12のうちの何れか１つによって与えられる。尚、NsoftとN’softは個別に定義される。
【０２０８】
図２２は、本実施形態におけるソフトチャネルビットの総数N’softの決定に関するフローチャートの一例を示す図である。図２２のフローは、下りリンクコンポーネントキャリア（セル）のそれぞれに対して適用されてもよい。第４の条件を満たす場合、第５の処理を行う。第４の条件を満たさない場合、第５の条件に進む。第５の条件を満たす場合、第６の処理を行う。第５の条件を満たさない場合、第６の条件に進む。第６の条件を満たす場合、第７の処理を行う。第６の条件を満たさない場合、第７の条件に進む。第７の条件を満たす場合、第８の処理を行う。第７の条件を満たさない場合、第９の処理を行う。第５の処理、第６の処理、第７の処理、第８の処理、または、第９の処理の後、ソフトチャネルビットの総数N'softの決定に関するフローを終了する。
【０２０９】
図２２の第４の条件において、端末装置１が能力パラメータue-CategoryDL-r12をシグナルしているならば（ＹＥＳ）、Nsoftは能力パラメータue-CategoryDL-r12によって示される下りリンクＵＥカテゴリーに応じたソフトチャネルビットの総数である（第５の処理）。
【０２１０】
図２２の第５の条件において、端末装置１が能力パラメータue-Category-v11a0をシグナルし、且つ、能力パラメータue-CategoryDL-r12をシグナルしていないならば（ＹＥＳ）、Nsoftは能力パラメータue-Category-v11a0によって示されるＵＥカテゴリーに応じたソフトチャネルビットの総数である（第６の処理）。
【０２１１】
図２２の第６の条件において、端末装置１が能力パラメータue-Category-v1170をシグナルし、且つ、能力パラメータue-Category-v11a0、および、能力パラメータue-CategoryDL-r12をシグナルしていないならば（ＹＥＳ）、Nsoftは能力パラメータue-Category-v1170によって示されるＵＥカテゴリーに応じたソフトチャネルビットの総数である（第７の処理）。
【０２１２】
図２２の第７の条件において、端末装置１が能力パラメータue-Category-v1020をシグナルし、且つ、能力パラメータue-Category-v1170、能力パラメータue-Category-v11a0、および、能力パラメータue-CategoryDL-r12をシグナルしていないならば（ＹＥＳ）、Nsoftは能力パラメータue-Category-v1020によって示されるＵＥカテゴリーに応じたソフトチャネルビットの総数である（第８の処理）。
【０２１３】
図２２の第７の条件において、端末装置１が能力パラメータue-Category (without suffix)をシグナルし、且つ、能力パラメータue-Category-v1020、能力パラメータue-Category-v1170、能力パラメータue-Category-v11a0、および、能力パラメータue-CategoryDL-r12をシグナルしていないならば（ＮＯ）、Nsoftは能力パラメータue-Category (without suffix)によって示されるＵＥカテゴリーに応じたソフトチャネルビットの総数である（第９の処理）。
【０２１４】
すなわち、端末装置１がトランスポートブロックのコードブロックの復号に失敗した場合、端末装置１によってストアされるソフトチャネルビットは、以下の(i)から(v)の一部、または、全部を参照することによって与えられてもよい。
(i)能力パラメータue-Category (without suffix)、能力パラメータue-Category-v1020、能力パラメータue-Category-v1170、および、能力パラメータue-CategoryDL-r12のうちの何れを送信しているか
(ii)下りリンクコンポーネントキャリアに対するパラメータLayersCount-v10xxが受信／設定されているかどうか
(iii) 下りリンクコンポーネントキャリアに対するパラメータaltCQI-Table-r12が受信／設定されているかどうか
(iv)下りリンクコンポーネントキャリアに対して端末装置１が設定された送信モードに対応するＰＤＳＣＨ送信方式によってサポートされるレイヤーの数
(v)ＲＩに対するビット幅を特定するために想定されるレイヤーの最大数
【０２１５】
以下、図１６のステップＳ１６９におけるトランスポートブロックのコードブロックサイズに対するソフトチャネルビットのストア方法に関する第７の例について説明する。第７の例は端末装置１に対して適用される。
【０２１６】
（７−１）第７の例において、端末装置１は、ＰＤＳＣＨ（Physical Downlink Shared CHannel）送信に対するＲＩ（Rank Indicator）を送信する送信部１０７と、前記ＲＩのためのビット幅の決定のために想定する第１の最大数であって、レイヤーの前記第１の最大数の決定のために用いる第１の情報（RRCConnectionReconfigurationメッセージ）を受信し、前記ＰＤＳＣＨでトランスポートブロックを受信する受信部１０５と、前記トランスポートブロックのコードブロックを復号する復号化部１０５１と、を備える。ここで、前記復号化部１０５１が前記コードブロックの復号に失敗した場合、前記復号化部１０５１は前記コードブロックのソフトチャネルビットのうち、少なくとも所定のソフトチャネルビットのレンジに対応するソフトチャネルビットをストアする。ここで、前記所定のソフトチャネルビットは、前記コードブロックに対するソフトバッファサイズに基づく。ここで、前記コードブロックに対するソフトバッファサイズは、少なくとも、前記レイヤーの前記第１の最大数の決定のために用いる第１の情報（RRCConnectionReconfigurationメッセージ）に基づく。
【０２１７】
（７−２）第７の例において、前記送信部１０７は、前記ＲＩを、ＰＵＳＣＨ（Physical Uplink Shared CHannel）で送信する。
【０２１８】
（７−３）第７の例において、前記端末装置１は、前記ＰＤＳＣＨ送信に関する所定の送信モードが設定されている。
【０２１９】
（７−４）第７の例において、前記送信部１０７は、第２の情報（ue-Category (without suffix)）、および、第３の情報（ue-Category-v1020）を含む能力情報（UECapabilityInformation）を送信する。ここで、前記第２の情報（ue-Category (without suffix)）は、下りリンクにおいて前記端末装置によってサポートされる前記レイヤーの第２の最大数、および、前記下りリンクにおけるＨＡＲＱ（Hybrid Automatic Repeat reQuest）プロセッシングのために利用可能なソフトチャネルビットの第１の総数に対応する第１のＵＥカテゴリーを示す。ここで、前記第３の情報（ue-Category-v1020）は、前記下りリンクにおいて前記端末装置によってサポートされる前記レイヤーの第３の最大数、および、前記下りリンクにおけるＨＡＲＱ（Hybrid Automatic Repeat reQuest）プロセッシングのために利用可能なソフトチャネルビットの第２の総数に対応する第２のＵＥカテゴリーを示す。ここで、前記コードブロックに対するソフトバッファサイズは、前記レイヤーの前記第１の最大数の決定のために用いる前記第１の情報（RRCConnectionReconfigurationメッセージ）が前記レイヤーの第４の最大数を示すかどうかに基づいて、前記第１の総数、および、前記第２の総数のうちの何れか１つを参照することによって与えられる。すなわち、前記コードブロックに対するソフトバッファサイズは、前記レイヤーの前記第１の最大数の決定のために用いる前記第１の情報が前記レイヤーの第４の最大数を示す値に設定されているかどうかに基づいて、前記第１の総数、および、前記第２の総数のうちの何れか１つを参照することによって与えられる。
【０２２０】
（７−５）第７の例において、前記レイヤーの前記第１の最大数の決定のために用いる前記第１の情報（RRCConnectionReconfigurationメッセージ）が前記レイヤーの前記第４の最大数を示す場合、前記コードブロックに対するソフトバッファサイズは、前記第１の総数を参照することによって与えられる。ここで、前記レイヤーの前記第１の最大数の決定のために用いる前記第１の情報（RRCConnectionReconfigurationメッセージ）が前記レイヤーの前記第４の最大数を示さない場合、前記コードブロックに対するソフトバッファサイズは、前記第２の総数を参照することによって与えられる。ここで、「前記第１の情報（RRCConnectionReconfigurationメッセージ）が前記レイヤーの前記第４の最大数を示さないこと」は、「前記第１の情報（RRCConnectionReconfigurationメッセージ）にパラメータLayersCount-v10xxが含まれないこと」を含む。すなわち、前記レイヤーの前記第１の最大数の決定のために用いる前記第１の情報が前記レイヤーの前記第４の最大数を示す値に設定されている場合、前記コードブロックに対するソフトバッファサイズは、前記第１の総数を参照することによって与えられ、前記レイヤーの前記第１の最大数の決定のために用いる前記第１の情報が前記レイヤーの前記第４の最大数を示す値に設定されていない場合、前記コードブロックに対するソフトバッファサイズは、前記第２の総数を参照することによって与えられる。
【０２２１】
（７−６）第７の例において、前記レイヤーの前記第１の最大数の決定のために用いる前記第１の情報（RRCConnectionReconfigurationメッセージ）が前記レイヤーの前記第４の最大数を示す場合、前記レイヤーの前記第１の最大数は、前記レイヤーの前記第４の最大数を参照することによって与えられる。ここで、「前記第１の情報（RRCConnectionReconfigurationメッセージ）が前記レイヤーの前記第４の最大数を示すこと」は、「前記第１の情報（RRCConnectionReconfigurationメッセージ）に含まれるパラメータLayersCount-v10xxが前記レイヤーの前記第４の最大数を示すこと」を含む。すなわち、前記第１の情報が受信される場合、前記レイヤーの前記第１の最大数は前記第１の情報を参照することによって与えられる。
【０２２２】
（７−７）第７の例において、前記レイヤーの前記第１の最大数の決定のために用いる前記第１の情報（RRCConnectionReconfigurationメッセージ）が前記レイヤーの前記第４の最大数を示さない場合、前記レイヤーの前記第１の最大数は、前記レイヤーの前記第２の最大数、および、前記レイヤーの前記第３の最大数を少なくとも含む前記レイヤーの複数の最大数のうちの何れか１つを参照することによって与えられる。すなわち、前記第１の情報が受信されない場合、前記レイヤーの前記第１の最大数は、前記第２の情報、および、前記第３の情報のうちの何れか一方を参照することによって与えられる。
【０２２３】
以上、本実施形態について、第１の例から第７の例、および、図１から図２２を参照して詳述してきたが、第１の例から第７の例、および、図１から図２２で示した範囲で種々の変更が可能であり、異なる例、および、図面にそれぞれ開示された技術的手段／方法を適宜組み合わせて得られる技術的手段／方法についても本発明の技術的範囲に含まれる。
【０２２４】
これにより、端末装置１は、基地局装置３が対応するＬＴＥのリリース、および、バージョンを知らなくても、基地局装置３と効率的に通信することができる。また、基地局装置３は、端末装置１が対応するＬＴＥのリリース、および、バージョンを知らなくても、端末装置１と効率的に通信することができる。
【０２２５】
本発明に関わる基地局装置３、および端末装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０２２６】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０２２７】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２２８】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２２９】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０２３０】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０２３１】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２３２】
また、上述した実施形態では、端末装置もしくは通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０２３３】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０２３４】
本発明は、携帯電話、パーソナル・コンピュータ、タブレット型コンピュータ、ＡＶ機器、キッチン機器、掃除・洗濯機器、空調機器、オフィス機器、自動販売機、その他生活機器などの端末装置もしくは通信装置などに適用できる。
【符号の説明】
【０２３５】
１（１Ａ、１Ｂ、１Ｃ）    端末装置
３    基地局装置
１０１    上位層処理部
１０３    制御部
１０５    受信部
１０７    送信部
３０１    上位層処理部
３０３    制御部
３０５    受信部
３０７    送信部
１０１１    無線リソース制御部
１０１３    スケジューリング情報解釈部
１０１５    ＣＳＩ報告制御部
３０１１    無線リソース制御部
３０１３    スケジューリング部
３０１５    ＣＳＩ報告制御部
【図１】
2017006873.tif 000009
【図２】
2017006873.tif 000010
【図３】
2017006873.tif 000011
【図４】
2017006873.tif 000012
【図５】
2017006873.tif 000013
【図６】
2017006873.tif 000014
【図７】
2017006873.tif 000015
【図８】
2017006873.tif 000016
【図９】
2017006873.tif 000017
【図１０】
2017006873.tif 000018
【図１１】
2017006873.tif 000019
【図１２】
2017006873.tif 000020
【図１３】
2017006873.tif 000021
【図１４】
2017006873.tif 000022
【図１５】
2017006873.tif 000023
【図１６】
2017006873.tif 000024
【図１７】
2017006873.tif 000025
【図１８】
2017006873.tif 000026
【図１９】
2017006873.tif 000027
【図２０】
2017006873.tif 000028
【図２１】
2017006873.tif 000029
【図２２】
2017006873.tif 000030
【国際調査報告】
2017006873.tif 000031
2017006873.tif 000032
2017006873.tif 000033
2017006873.tif 000034